(57)【要約】  情報処理装置（１０４）は、再生対象のオーディオ信号の符号化方式を対象符号化方式として検出し、対象符号化方式および記憶部（２１６）に記憶された復号可否情報に基づいて、（１）外部記憶装置（１０１）から再生対象のオーディオ信号を取得し、取得した再生対象のオーディオ信号を復号し、復号した再生対象のオーディオ信号をスピーカ装置（１０２、１０３）に送信する、第１の制御、および（２）再生対象のオーディオ信号を外部記憶装置（１０１）から直接スピーカ装置（１０２、１０３）へ送信させてスピーカ装置（１０２、１０３）に復号させる、第２の制御のいずれか一方を選択し、選択した制御を行う。
2014097500.tif 000002
【特許請求の範囲】
【請求項１】
オーディオ信号の復号機能を有するスピーカ装置において、外部記憶装置に記憶されたオーディオ信号を再生するための制御を行う情報処理装置であって、
再生対象のオーディオ信号の符号化方式を対象符号化方式として検出する検出部と、
前記再生対象のオーディオ信号を復号する復号部と、
前記対象符号化方式が前記復号部によって復号可能な方式であるか否かと、前記対象符号化方式が前記スピーカ装置によって復号可能な方式であるか否かとを示す復号可否情報が記憶される記憶部と、
前記外部記憶装置および前記スピーカ装置と通信を行う通信部と、
前記対象符号化方式および前記復号可否情報に基づいて、（１）前記通信部に前記外部記憶装置から前記再生対象のオーディオ信号を取得させて、取得された前記再生対象のオーディオ信号を前記復号部に復号させ、復号された前記再生対象のオーディオ信号を前記通信部から前記スピーカ装置に送信する、第１の制御、および、（２）前記再生対象のオーディオ信号を前記外部記憶装置から前記スピーカ装置へ直接送信させて前記スピーカ装置に復号させる、第２の制御のいずれか一方を選択し、選択した制御を行う制御部とを備える
情報処理装置。
【請求項２】
前記制御部は、
前記対象符号化方式が前記復号部で復号可能な方式であることを前記復号可否情報が示す場合に、前記第１の制御を行い、
前記対象符号化方式が前記復号部で復号不可能な方式であり、なおかつ、前記スピーカ装置で復号可能な方式であることを前記復号可否情報が示す場合に、前記第２の制御を行う
請求項１に記載の情報処理装置。
【請求項３】
前記制御部は、前記対象符号化方式が、前記復号部で復号可能な方式であり、なおかつ、前記スピーカ装置で復号可能な方式であることを前記復号可否情報が示す場合に、前記第１の制御を行う
請求項１に記載の情報処理装置。
【請求項４】
前記制御部は、前記対象符号化方式が、前記復号部で復号可能な方式であり、なおかつ、前記スピーカ装置で復号可能な方式であることを前記復号可否情報が示す場合に、前記第２の制御を行う
請求項１に記載の情報処理装置。
【請求項５】
前記通信部は、
前記第１の制御において、復号された前記再生対象のオーディオ信号を前記通信部から前記スピーカ装置に送信するための第１の通信方式と、
前記第２の制御において、前記再生対象のオーディオ信号を前記外部記憶装置から直接前記スピーカ装置に送信させるための第２の通信方式とを用いて通信可能であり、
前記記憶部には、さらに、前記スピーカ装置が前記第１の通信方式で通信可能か否かと、前記スピーカ装置が前記第２の通信方式で通信可能か否かとを示す通信可否情報が記憶され、
前記制御部は、前記対象符号化方式、前記復号可否情報、および前記通信可否情報に基づいて、前記第１の制御、および前記第２の制御のいずれか一方を選択し、選択した制御を行う
請求項１に記載の情報処理装置。
【請求項６】
前記制御部は、前記対象符号化方式が前記復号部および前記スピーカ装置の両方で復号可能な方式であり、なおかつ、前記スピーカ装置が前記第１の通信方式および前記第２の通信方式の両方で通信可能であることを前記通信可否情報が示す場合に、前記第１の制御を行う
請求項５に記載の情報処理装置。
【請求項７】
前記制御部は、
前記制御部は、前記対象符号化方式が前記復号部および前記スピーカ装置の両方で復号可能な方式であり、なおかつ、前記スピーカ装置が前記第１の通信方式および前記第２の通信方式の両方で通信可能であることを前記通信可否情報が示す場合に、前記第２の制御を行う
請求項５に記載の情報処理装置。
【請求項８】
さらに、
ユーザーの前記スピーカ装置の選択を受け付ける入力部と、
表示部とを備え、
前記スピーカ装置は、前記表示部に表示されたスピーカ装置候補の中から、ユーザーが前記入力部を通じて選択した１つのスピーカ装置であり、
前記制御部は、
（１）前記対象符号化方式が前記復号部で復号可能な方式であることを前記復号可否情報が示す場合には、前記通信部が通信可能な複数のスピーカ装置の中から、前記第１の通信方式で通信可能なスピーカ装置、または、前記再生対象のオーディオ信号を復号可能なスピーカ装置であって、なおかつ、前記第２の通信方式で通信可能であるスピーカ装置を、前記復号可否情報および前記通信可否情報に基づいて選択し、選択したスピーカ装置を示すアイコンを前記スピーカ装置候補として前記表示部に表示し、
（２）前記対象符号化方式が前記復号部で復号不可能な方式であることを前記復号可否情報が示す場合には、前記複数のスピーカ装置の中から、前記再生対象のオーディオ信号を復号可能なスピーカ装置であって、なおかつ、前記第２の通信方式で通信可能であるスピーカ装置を前記復号可否情報および前記通信可否情報に基づいて選択し、選択したスピーカ装置を示すアイコンを前記スピーカ装置候補として前記表示部に表示する制御を行う
請求項５〜７のいずれか１項に記載の情報処理装置。
【請求項９】
さらに、
前記ユーザーの前記スピーカ装置の選択を受け付ける入力部と、
表示部とを備え、
前記スピーカ装置は、前記表示部に表示されたスピーカ装置候補の中から、ユーザーが前記入力部を通じて選択した１つのスピーカ装置であり、
前記制御部は、前記通信部が通信可能な複数のスピーカ装置を示すアイコンを前記スピーカ装置候補として前記表示部に表示する制御を行う
請求項１〜７のいずれか１項に記載の情報処理装置。
【請求項１０】
前記制御部は、前記再生対象のオーディオ信号が、前記第１の制御により前記スピーカ装置において再生できる場合と、前記第２の制御により前記スピーカ装置において再生できる場合との両方において、前記スピーカ装置を示す同一のアイコンを前記スピーカ装置候補として前記表示部に表示する制御を行う
請求項８または９に記載の情報処理装置。
【請求項１１】
前記制御部は、前記第１の制御および前記第２の制御のいずれの制御も実行できない場合に、前記再生対象のオーディオ信号が再生できない旨を前記表示部に表示する制御を行う
請求項８〜１０のいずれか１項に記載の情報処理装置。
【請求項１２】
前記第１の通信方式は、Ｂｌｕｅｔｏｏｔｈ（登録商標）を用いた無線通信であり、
前記第２の通信方式は、ＤＬＮＡ（Ｄｉｇｉｔａｌ  Ｌｉｖｉｎｇ  Ｎｅｔｗｏｒｋ  Ａｌｌｉａｎｃｅ）（登録商標）を用いた無線通信である
請求項１〜１１のいずれか１項に記載の情報処理装置。
【請求項１３】
オーディオ信号の復号機能を有するスピーカ装置において、外部記憶装置に記憶されたオーディオ信号を再生するために情報処理装置が行う制御方法であって、
前記情報処理装置は、
前記外部記憶装置および前記スピーカ装置と通信可能であり、
前記対象符号化方式が前記情報処理装置によって復号可能な方式であるか否かと、前記対象符号化方式が前記スピーカ装置によって復号可能な方式であるか否かとを示す復号可否情報が記憶される記憶部を備え、
前記制御方法は、
前記対象符号化方式および前記復号可否情報に基づいて、（１）前記外部記憶装置から前記再生対象のオーディオ信号を取得して、取得した前記再生対象のオーディオ信号を復号し、復号した前記再生対象のオーディオ信号を前記通信部から前記スピーカ装置に送信する、第１の制御、および（２）前記再生対象のオーディオ信号を前記外部記憶装置から前記スピーカ装置へ直接送信させて前記スピーカ装置に復号させる、第２の制御のいずれか一方を選択し、選択した制御を行う
制御方法。
【請求項１４】
請求項１３に記載の制御方法をコンピュータに実行させるためのプログラム。
【発明の詳細な説明】
【技術分野】
【０００１】
本開示は、外部記憶装置に記憶されたオーディオ信号をスピーカ装置で再生する制御を行う情報処理装置および制御方法に関する。
【背景技術】
【０００２】
特許文献１には、携帯端末で再生しているコンテンツを他のコンテンツ再生装置で継続視聴することができる携帯端末が開示されている。
【先行技術文献】
【特許文献】
【０００３】
【特許文献１】特開２００９−０６０５１２号公報
【発明の概要】
【発明が解決しようとする課題】
【０００４】
ところで、近年、ユーザーは、携帯端末、パソコン、ＮＡＳ（Ｎｅｔｗｏｒｋ  Ａｔｔａｃｈｅｄ  Ｓｔｏｒａｇｅ）などの外部記憶装置に再生コンテンツをダウンロードして、音楽を楽しむことが多くなってきている。【０００５】
ここで、ユーザーが、外部記憶装置に記憶された再生コンテンツをＢｌｕｅｔｏｏｔｈ（登録商標）やＤＬＮＡ（Ｄｉｇｉｔａｌ  Ｌｉｖｉｎｇ  Ｎｅｔｗｏｒｋ  Ａｌｌｉａｎｃｅ）（登録商標）などの通信方式を用いて、ネットワークスピーカにおいて再生するような場合が想定される。【０００６】
このような場合、再生コンテンツが再生できるか否かは、典型的には、ネットワークスピーカが再生コンテンツのコンテンツプロトコルに適合しているか否かにより決まる。【０００７】
本開示は、ネットワークスピーカが再生コンテンツのコンテンツプロトコル適合していない場合にも、当該再生コンテンツを簡単にネットワークスピーカにおいて再生することが可能な情報処理装置および情報処理方法を提供する。
【課題を解決するための手段】
【０００８】
上記の課題を解決するために、本開示の情報処理装置は、オーディオ信号の復号機能を有するスピーカ装置において、外部記憶装置に記憶されたオーディオ信号を再生するための制御を行う情報処理装置であって、再生対象のオーディオ信号の符号化方式を対象符号化方式として検出する検出部と、前記再生対象のオーディオ信号を復号する復号部と、前記対象符号化方式が前記復号部によって復号可能な方式であるか否かと、前記対象符号化方式が前記スピーカ装置によって復号可能な方式であるか否かとを示す復号可否情報が記憶される記憶部と、前記外部記憶装置および前記スピーカ装置と通信を行う通信部と、前記対象符号化方式および前記復号可否情報に基づいて、（１）前記通信部に前記外部記憶装置から前記再生対象のオーディオ信号を取得させて、取得された前記再生対象のオーディオ信号を前記復号部に復号させ、復号された前記再生対象のオーディオ信号を前記通信部から前記スピーカ装置に送信する、第１の制御、および、（２）前記再生対象のオーディオ信号を前記外部記憶装置から前記スピーカ装置へ直接送信させて前記スピーカ装置に復号させる、第２の制御のいずれか一方を選択し、選択した制御を行う制御部とを備える。
【発明の効果】
【０００９】
本開示の情報処理装置によれば、スピーカ装置が再生対象のオーディオ信号のコンテンツプロトコル（符号化方式）に適合していない場合でも、当該再生対象のオーディオ信号を簡単にスピーカ装置において再生することができる。
【図面の簡単な説明】
【００１０】
【図１】図１は、実施の形態１のオーディオ信号再生システムの構成を示す概略図である。
【図２】図２は、実施の形態１のオーディオ信号再生システムの詳細な構成を示すブロック図である。
【図３】図３は、実施の形態１のオーディオ信号リストの一例を示す図である。
【図４】図４は、実施の形態１の復号対応テーブルの一例を示す図である。
【図５】図５は、実施の形態１の通信方式対応テーブルの一例を示す図である。
【図６】図６は、符号化方式と、当該符号化方式で符号化されたオーディオ信号の再生可否を示す図である。
【図７】図７は、実施の形態１のオーディオ信号の再生処理を示すフローチャートである。
【図８】図８は、情報処理装置の表示部に表示される選択画面を示す図である。
【図９】図９は、再生対象のオーディオ信号を再生することができるスピーカ装置を選択する動作のフローチャートである。
【図１０】図１０は、オーディオ信号再生システムの適用例を示す図である。
【発明を実施するための形態】
【００１１】
（本開示の基礎となった知見）
背景技術で説明したように、特許文献１には、携帯端末で再生しているコンテンツを他のコンテンツ再生装置で継続視聴する携帯端末が開示されている。
【００１２】
特許文献１に開示された携帯端末は、所定領域内に存在し、かつ再生コンテンツのコンテンツプロトコルに適合する再生装置を特定し、特定した再生装置に、再生コンテンツのデータを送信する。また、携帯端末は、コンテンツ移行テーブルに基づいて、コンテンツプロトコルに適合した再生装置を特定して、候補として表示する。ユーザーは、再生装置の候補の中から所望の再生装置を選択して、コンテンツの継続視聴を楽しむことができる。
【００１３】
ここで、コンテンツプロトコルとは、再生方法、データ形式、データ圧縮方式および通信プロトコルなどのコンテンツに関する規約である。
【００１４】
再生方法の規約としては、ビットレート情報の規格などがある。コンテンツのデータ形式およびデータ圧縮方式の規約としては、音楽に関するＡＡＣ（Ａｄｖａｎｃｅｄ  Ａｕｄｉｏ  Ｃｏｄｉｎｇ）、ＷＡＶ（ＲＩＦＦ  ｗａｖｅｆｏｒｍ  Ａｕｄｉｏ  Ｆｏｒｍａｔ）、およびＭＰ３（ＭＰＥＧ  Ａｕｄｉｏ  Ｌａｙｅｒ−３）などがある。
【００１５】
通信方式に関する規約（通信プロトコル）としては、Ｂｌｕｅｔｏｏｔｈ（登録商標）、Ｆｅｌｉｃａ（フェリカ：登録商標）、ＰＬＣ（Ｐｏｗｅｒ  Ｌｉｎｅ  Ｃｏｍｍｕｎｉｃａｔｉｏｎ）、Ｗｉｒｅｌｅｓｓ  ＬＡＮ（Ｌｏｃａｌ  Ａｒｅａ  Ｎｅｔｗｏｒｋ）、ＩｒＤＡ（Ｉｎｆｒａｒｅｄ  Ｄａｔａ  Ａｓｓｏｃｉａｔｉｏｎ）、ＩｒＳＳ（Ｉｎｆｒａｒｅｄ  Ｓｉｍｐｌｅ  Ｓｈｏｔ）、およびＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）などがある。
【００１６】
特許文献１において開示されるような構成では、ユーザーの選択の候補となる再生装置は、携帯端末が有するコンテンツプロトコルに適合した再生装置に限定される。また、特許文献１において開示されるような構成は、携帯端末内の再生コンテンツを送信することに限定されており、ネットワークに接続された、パソコンやＮＡＳ内に記憶された再生コンテンツの送信については想定されていない。
【００１７】
また、携帯端末やパソコンやＮＡＳなどの外部記憶装置に再生コンテンツをダウンロードし、携帯端末や外部記憶装置内の再生コンテンツをネットワークスピーカへ送信してネットワークスピーカにおいて再生させる構成が知られている。
【００１８】
しかしながら、このような構成では、ネットワークスピーカが再生コンテンツのコンテンツプロトコル適合していない場合、当該再生コンテンツをネットワークスピーカにおいて再生することは原則的にはできない。
【００１９】
本開示は、ネットワークスピーカが再生コンテンツのコンテンツプロトコル適合していない場合にも、当該再生コンテンツを簡単にネットワークスピーカにおいて再生することが可能な情報処理装置および情報処理方法を提供する。
【００２０】
言い換えれば、本開示は、ユーザーに、ネットワークスピーカのコンテンツプロトコルへの適合性を意識させることなく、再生コンテンツを簡単にネットワークスピーカにおいて再生することがすることが可能な情報処理装置および情報処理方法を提供する。
【００２１】
本開示の一態様に係る情報処理装置は、オーディオ信号の復号機能を有するスピーカ装置において、外部記憶装置に記憶されたオーディオ信号を再生するための制御を行う情報処理装置であって、再生対象のオーディオ信号の符号化方式を対象符号化方式として検出する検出部と、前記再生対象のオーディオ信号を復号する復号部と、前記対象符号化方式が前記復号部によって復号可能な方式であるか否かと、前記対象符号化方式が前記スピーカ装置によって復号可能な方式であるか否かとを示す復号可否情報が記憶される記憶部と、前記外部記憶装置および前記スピーカ装置と通信を行う通信部と、前記対象符号化方式および前記復号可否情報に基づいて、（１）前記通信部に前記外部記憶装置から前記再生対象のオーディオ信号を取得させて、取得された前記再生対象のオーディオ信号を前記復号部に復号させ、復号された前記再生対象のオーディオ信号を前記通信部から前記スピーカ装置に送信する、第１の制御、および、（２）前記再生対象のオーディオ信号を前記外部記憶装置から前記スピーカ装置へ直接送信させて前記スピーカ装置に復号させる、第２の制御のいずれか一方を選択し、選択した制御を行う制御部とを備える。
【００２２】
このような第１の制御によれば、ユーザーが選択したスピーカ装置が復号できないオーディオ信号を、当該スピーカ装置で再生することができる。
【００２３】
さらに、第１の制御によれば、外部記憶装置１０１と、ユーザーが選択したスピーカ装置が直接通信できない場合であっても、ユーザーが選択したスピーカ装置においてオーディオ信号を再生することができる。
【００２４】
さらに、第２の制御によれば、情報処理装置１０４が復号できないオーディオ信号をユーザーが選択したスピーカ装置で再生することができる。
【００２５】
したがって、ユーザーは、再生対象のオーディオ信号の符号化方式がスピーカ装置が復号できる方式であるか否か、およびスピーカ装置が外部記憶装置と通信可能であるか否かを意識することなく、再生対象のオーディオ信号を簡単にスピーカ装置において再生することができる。
【００２６】
具体的には、例えば、前記制御部は、前記対象符号化方式が前記復号部で復号可能な方式であることを前記復号可否情報が示す場合に、前記第１の制御を行い、前記対象符号化方式が前記復号部で復号不可能な方式であり、なおかつ、前記スピーカ装置で復号可能な方式であることを前記復号可否情報が示す場合に、前記第２の制御を行ってもよい。
【００２７】
また、前記制御部は、前記対象符号化方式が、前記復号部で復号可能な方式であり、なおかつ、前記スピーカ装置で復号可能な方式であることを前記復号可否情報が示す場合に、前記第１の制御を行ってもよい。
【００２８】
このように、第１の制御は、第２の制御よりも優先して実行されてもよい。
【００２９】
また、前記制御部は、前記対象符号化方式が、前記復号部で復号可能な方式であり、なおかつ、前記スピーカ装置で復号可能な方式であることを前記復号可否情報が示す場合に、前記第２の制御を行ってもよい。
【００３０】
このように、第２の制御は、第１の制御よりも優先して実行されてもよい。
【００３１】
また、前記通信部は、前記第１の制御において、復号された前記再生対象のオーディオ信号を前記通信部から前記スピーカ装置に送信するための第１の通信方式と、前記第２の制御において、前記再生対象のオーディオ信号を前記外部記憶装置から直接前記スピーカ装置に送信させるための第２の通信方式とを用いて通信可能であり、前記記憶部には、さらに、前記スピーカ装置が前記第１の通信方式で通信可能か否かと、前記スピーカ装置が前記第２の通信方式で通信可能か否かとを示す通信可否情報が記憶され、前記制御部は、前記対象符号化方式、前記復号可否情報、および前記通信可否情報に基づいて、前記第１の制御、および前記第２の制御のいずれか一方を選択し、選択した制御を行ってもよい。
【００３２】
これにより、情報処理装置は、ユーザーが選択したスピーカ装置が所定の通信方式に対応しているか否かをさらに判断した上で、第１の制御および第２の制御を実行することができる。
【００３３】
また、前記制御部は、前記対象符号化方式が前記復号部および前記スピーカ装置の両方で復号可能な方式であり、なおかつ、前記スピーカ装置が前記第１の通信方式および前記第２の通信方式の両方で通信可能であることを前記通信可否情報が示す場合に、前記第１の制御を行ってもよい。
【００３４】
このように、第１の制御は、第２の制御よりも優先して実行されてもよい。
【００３５】
また、前記制御部は、前記制御部は、前記対象符号化方式が前記復号部および前記スピーカ装置の両方で復号可能な方式であり、なおかつ、前記スピーカ装置が前記第１の通信方式および前記第２の通信方式の両方で通信可能であることを前記通信可否情報が示す場合に、前記第２の制御を行ってもよい。
【００３６】
このように、第２の制御は、第１の制御よりも優先して実行されてもよい。
【００３７】
また、さらに、ユーザーの前記スピーカ装置の選択を受け付ける入力部と、表示部とを備え、前記スピーカ装置は、前記表示部に表示されたスピーカ装置候補の中から、ユーザーが前記入力部を通じて選択した１つのスピーカ装置であり、前記制御部は、（１）前記対象符号化方式が前記復号部で復号可能な方式であることを前記復号可否情報が示す場合には、前記通信部が通信可能な複数のスピーカ装置の中から、前記第１の通信方式で通信可能なスピーカ装置、または、前記再生対象のオーディオ信号を復号可能なスピーカ装置であって、なおかつ、前記第２の通信方式で通信可能であるスピーカ装置を、前記復号可否情報および前記通信可否情報に基づいて選択し、選択したスピーカ装置を示すアイコンを前記スピーカ装置候補として前記表示部に表示し、（２）前記対象符号化方式が前記復号部で復号不可能な方式であることを前記復号可否情報が示す場合には、前記複数のスピーカ装置の中から、前記再生対象のオーディオ信号を復号可能なスピーカ装置であって、なおかつ、前記第２の通信方式で通信可能であるスピーカ装置を前記復号可否情報および前記通信可否情報に基づいて選択し、選択したスピーカ装置を示すアイコンを前記スピーカ装置候補として前記表示部に表示する制御を行ってもよい。
【００３８】
これにより、ユーザーは、再生対象のオーディオ信号を再生することができるスピーカ装置しか選択できない。したがって、ユーザーが選択したスピーカ装置において再生対象のオーディオ信号が再生されないことがなくなるため、ユーザーは快適に楽曲を楽しむことができる。
【００３９】
また、さらに、前記ユーザーの前記スピーカ装置の選択を受け付ける入力部と、表示部とを備え、前記スピーカ装置は、前記表示部に表示されたスピーカ装置候補の中から、ユーザーが前記入力部を通じて選択した１つのスピーカ装置であり、前記制御部は、前記通信部が通信可能な複数のスピーカ装置を示すアイコンを前記スピーカ装置候補として前記表示部に表示する制御を行ってもよい。
【００４０】
また、前記制御部は、前記再生対象のオーディオ信号が、前記第１の制御により前記スピーカ装置において再生できる場合と、前記第２の制御により前記スピーカ装置において再生できる場合との両方において、前記スピーカ装置を示す同一のアイコンを前記スピーカ装置候補として前記表示部に表示する制御を行ってもよい。
【００４１】
これにより、表示部には、制御方法によらず、１つのスピーカ装置に対しては、１つのアイコンが表示される。したがって、ユーザーは、通信方式を意識することなく、快適に楽曲を楽しむことができる。
【００４２】
また、前記制御部は、前記第１の制御および前記第２の制御のいずれの制御も実行できない場合に、前記再生対象のオーディオ信号が再生できない旨を前記表示部に表示する制御を行ってもよい。
【００４３】
これにより、再生対象のオーディオ信号が再生不可能である旨をユーザーへ伝えることができる。
【００４４】
また、前記第１の通信方式は、Ｂｌｕｅｔｏｏｔｈ（登録商標）を用いた無線通信であり、前記第２の通信方式は、ＤＬＮＡ（Ｄｉｇｉｔａｌ  Ｌｉｖｉｎｇ  Ｎｅｔｗｏｒｋ  Ａｌｌｉａｎｃｅ）（登録商標）を用いた無線通信であってもよい。
【００４５】
また、本開示の一態様に係る制御方法は、オーディオ信号の復号機能を有するスピーカ装置において、外部記憶装置に記憶されたオーディオ信号を再生するために情報処理装置が行う制御方法であって、前記情報処理装置は、前記外部記憶装置および前記スピーカ装置と通信可能であり、前記対象符号化方式が前記情報処理装置によって復号可能な方式であるか否かと、前記対象符号化方式が前記スピーカ装置によって復号可能な方式であるか否かとを示す復号可否情報が記憶される記憶部を備え、前記制御方法は、前記対象符号化方式および前記復号可否情報に基づいて、（１）前記外部記憶装置から前記再生対象のオーディオ信号を取得して、取得した前記再生対象のオーディオ信号を復号し、復号した前記再生対象のオーディオ信号を前記通信部から前記スピーカ装置に送信する、第１の制御、および（２）前記再生対象のオーディオ信号を前記外部記憶装置から前記スピーカ装置へ直接送信させて前記スピーカ装置に復号させる、第２の制御のいずれか一方を選択し、選択した制御を行う。
【００４６】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【００４７】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００４８】
なお、出願人は、当業者が本開示を十分に理解するために添付図面および以下の説明を提供するのであって、これらによって請求の範囲に記載の主題を限定することを意図するものではない。
【００４９】
（実施の形態１）
実施の形態１のオーディオ信号再生システムについて図面を参照しつつ説明する。
【００５０】
［１．オーディオ信号再生システムの構成］
［１−１．全体構成］
図１は、実施の形態１に係るオーディオ信号再生システムの構成を示す概略図である。
【００５１】
図１に示されるように、実施の形態１のオーディオ信号再生システム１００は、オーディオ信号が記憶される外部記憶装置１０１と、オーディオ信号を再生する、第１のスピーカ装置１０２および第２のスピーカ装置１０３と、情報処理装置１０４とで構成される。
【００５２】
実施の形態１では、外部記憶装置１０１は、ＮＡＳであり、第１のスピーカ装置１０２は、ミニコンポである。また、実施の形態１では、第２のスピーカ装置１０３は、オーディオステレオシステムであり、情報処理装置１０４は、スマートフォンである。
【００５３】
しかしながら、これらの装置は、このような具体例に限定されない。例えば、外部記憶装置１０１は、ＮＡＳに限らずオーディオ信号を記録可能で外部との通信機能を有する装置であればよい。また、第１のスピーカ装置１０２、および第２のスピーカ装置１０３は、ミニコンポ、オーディオステレオシステムに限らず、ネットワークスピーカなど、通信機能を有するオーディオ機器であればよい。情報処理装置１０４は、スマートフォンに限らず、外部記憶装置１０１、第１のスピーカ装置１０２、および第２のスピーカ装置１０３を制御することができる機器であれば何でもよい。
【００５４】
図１に示されるように、情報処理装置１０４と第１のスピーカ装置１０２とはＢｌｕｅｔｏｏｔｈで通信可能であり、情報処理装置１０４と第２のスピーカ装置１０３とはＢｌｕｅｔｏｏｔｈで通信可能である。情報処理装置１０４と外部記憶装置１０１とはＤＬＮＡで通信可能であり、外部記憶装置１０１と第１のスピーカ装置１０２とはＤＬＮＡで通信可能である。外部記憶装置１０１と第２のスピーカ装置１０３とは直接通信不可能である。
【００５５】
なお、以下の説明では、Ｂｌｕｅｔｏｏｔｈを第１の通信方式と記載し、ＤＬＮＡを第２の通信方式と記載することがある。
【００５６】
オーディオ信号再生システム１００は、ユーザーが、外部記憶装置１０１に記憶されたオーディオ信号を所望のスピーカ装置で再生するためのシステムである。ユーザーは、情報処理装置１０４を通じて再生対象のオーディオ信号と、これを再生させたいスピーカ装置とを選択する。これにより、ユーザーは、外部記憶装置１０１に記憶されたオーディオ信号を所望のスピーカ装置で再生することができる。
【００５７】
次に、オーディオ信号再生システム１００のより具体的な構成について説明する。
【００５８】
図２は、オーディオ信号再生システム１００の詳細な構成を示すブロック図である。
【００５９】
外部記憶装置１０１は、記憶部２０１と、ＤＬＮＡ通信部２０２とを備える。
【００６０】
記憶部２０１には、複数のオーディオ信号と当該複数のオーディオ信号のリスト（オーディオ信号リスト）が記録されている。記憶部２０１は、例えば、ＨＤＤ（Ｈａｒｄ  Ｄｉｓｃ  Ｄｒｉｖｅ）である。オーディオ信号リストの詳細については、後述する。
【００６１】
ＤＬＮＡ通信部２０２は、外部装置（第１のスピーカ装置１０２および情報処理装置１０４）とＤＬＮＡで通信する通信部である。
【００６２】
第１のスピーカ装置１０２は、ＤＬＮＡ通信部２０３と、復号部２０４と、出音部２０５と、ＢＴ通信部２０６とを備える。
【００６３】
ＤＬＮＡ通信部２０３は、外部記憶装置１０１のＤＬＮＡ通信部２０２と同様に、外部装置（外部記憶装置１０１）とＤＬＮＡで通信する通信部である。
【００６４】
復号部２０４は、ＤＬＮＡ通信部２０３を通じて外部記憶装置１０１から取得したオーディオ信号を復号する。
【００６５】
出音部２０５は、復号部２０４が復号したオーディオ信号を出音する。
【００６６】
ＢＴ通信部２０６は、外部装置（情報処理装置１０４）とＢｌｕｅｔｏｏｔｈで通信する通信部である。
【００６７】
第２のスピーカ装置１０３は、復号部２０７と、出音部２０８と、ＢＴ通信部２０９とを備える。
【００６８】
復号部２０７は、オーディオ信号を復号する。
【００６９】
出音部２０８は、復号部２０７が復号したオーディオ信号を出音する。
【００７０】
ＢＴ通信部２０９は、外部装置（情報処理装置１０４）とＢｌｕｅｔｏｏｔｈで通信する通信部である。
【００７１】
情報処理装置１０４は、ＤＬＮＡ通信部２１０と、制御部２１１と、ＢＴ通信部２１２と、復号部２１３と、入力部２１４と、検出部２１５と、記憶部２１６と、表示部２１７とを備える。
【００７２】
入力部２１４は、ユーザーのスピーカ装置（第１のスピーカ装置１０２および第２のスピーカ装置１０３）の選択を受け付ける。また、入力部２１４は、ユーザーの再生対象のオーディオ信号の選択を受け付ける。ここで再生対象のオーディオ信号とは、外部記憶装置１０１に記憶された複数のオーディオ信号のうちからユーザーによって選択された少なくとも１つのオーディオ信号を意味する。入力部２１４は、具体的には、情報処理装置１０４の表示部２１７に重ね合わされるタッチパネルや、情報処理装置１０４の入力ボタンである。
【００７３】
検出部２１５は、ユーザーが入力部２１４を通じて選択した再生対象のオーディオ信号の符号化方式を対象符号化方式として検出する。なお、ここでの符号化方式とは、上述のコンテンツプロトコルを意味する。
【００７４】
復号部２１３は、ユーザーが入力部２１４を通じて選択した再生対象のオーディオ信号を復号する。
【００７５】
記憶部２１６には、復号対応テーブル（復号可否情報）と、通信方式対応テーブル（通信可否情報）とが記憶される。記憶部２１６は、具体的には、ＦＬＡＳＨメモリや、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などである。復号対応テーブルと、通信方式対応テーブルとの詳細については後述する。
【００７６】
ＤＬＮＡ通信部２１０は、外部装置（外部記憶装置１０１）とＤＬＮＡで通信する通信部である。
【００７７】
ＢＴ通信部２１２は、外部装置（第１のスピーカ装置１０２、および第２のスピーカ装置１０３）とＢｌｕｅｔｏｏｔｈで通信する通信部である。
【００７８】
なお、以下の説明では、ＤＬＮＡ通信部２１０と、ＢＴ通信部２１２とを合わせて通信部２１８と記載することがある。すなわち、通信部２１８は、Ｂｌｕｅｔｏｏｔｈ（第１の通信方式）と、ＤＬＮＡ（第２の通信方式）とを用いて通信可能であり、外部記憶装置１０１、並びに第１のスピーカ装置１０２および第２のスピーカ装置１０３と通信を行う。
【００７９】
制御部２１１は、検出部２１５が検出した対象符号化方式と、復号対応テーブルと、通信方式対応テーブルとに基づいて、第１の制御および第２の制御のいずれか一方を選択し、選択した制御を行う。つまり、制御部２１１は、第１の制御および第２の制御を選択的に実行する。
【００８０】
ここで、第１の制御では、制御部２１１は、まず、通信部２１８（ＤＬＮＡ通信部２１０）に外部記憶装置１０１から再生対象のオーディオ信号を取得させる。続いて、制御部２１１は、通信部２１８が取得した再生対象のオーディオ信号を復号部２１３に復号させる。最後に、制御部２１１は、復号部２１３によって復号された再生対象のオーディオ信号を通信部２１８からユーザーが入力部２１４を通じて選択したスピーカ装置に送信する。
【００８１】
すなわち、第１の制御は、情報処理装置１０４が自ら再生対象のオーディオ信号を復号し、復号後のオーディオ信号をユーザーが選択したスピーカ装置に送信することによって、再生対象のオーディオ信号をユーザーが選択したスピーカ装置で再生する制御である。
【００８２】
一方、第２の制御では、制御部２１１は、まず、再生対象のオーディオ信号を外部記憶装置１０１から直接、ユーザーが選択したスピーカ装置に送信させ当該スピーカ装置に復号させる。
【００８３】
すなわち、第２の制御は、情報処理装置１０４は、再生対象のオーディオ信号を復号することなく、再生対象のオーディオ信号をユーザーが選択したスピーカ装置において復号することによって当該スピーカ装置で再生する制御である。
【００８４】
なお、制御部２１１が、第１の制御を行うか、第２の制御を行うかの判断基準については、後述する。
【００８５】
なお、実施の形態１では、復号部２０４、２０７、および２１３が行う復号とは、符号化方式（コンテンツプロトコル）に応じた復号を意味する。実施の形態１では、通信方式（通信プロトコル）に応じた符号化・復号処理は、ＤＬＮＡ通信部２０２、２０３、および２１０と、ＢＴ通信部２０６、２０９、および２１２とにおいて行われるが、これについての詳細な説明は省略する。
【００８６】
表示部２１７は、液晶ディスプレイや、有機ＥＬ（Ｅｌｅｃｔｒｏ  Ｌｕｍｉｎｅｓｃｅｎｃｅ）ディスプレイなどの表示ディスプレイである。表示部２１７には、ユーザーにオーディオ信号を選択させるための選択画面が表示される。また、表示部２１７には、ユーザーに再生対象のオーディオ信号を再生する、スピーカ装置を選択させるための選択画面が表示される。なお、表示部２１７への選択画面の表示は、制御部２１１が行う。
【００８７】
［１−２．オーディオ信号リスト］
次に、外部記憶装置１０１の記憶部２０１に記録されているオーディオ信号のオーディオ信号リストについて説明する。
【００８８】
図３は、オーディオ信号リストの一例を示す図である。
【００８９】
オーディオ信号リストは、オーディオ信号のファイル名と、オーディオ信号の曲名と、オーディオ信号の符号化方式（コンテンツプロトコル）とで構成される。
【００９０】
具体的には、図３に示されるオーディオ信号リストにおいては、ファイル名「ａｕｄｉｏ１．ｍｐ３」と、曲名「ｓｏｎｇ１」と、符号化方式「ＭＰ３（ＭＰＥＧ  Ａｕｄｉｏ  Ｌａｙｅｒ−３）」とが対応づけられている。同様に、ファイル名「ａｕｄｉｏ２．ｍｐ３」と、曲名「ｓｏｎｇ２」と、符号化方式「ＭＰ３」とが対応付けられ、ファイル名「ａｕｄｉｏ３．ａａｃ」と、曲名「ｓｏｎｇ３」と、符号化方式「ＡＡＣ（Ａｄｖａｎｃｅｄ  Ａｕｄｉｏ  Ｃｏｄｉｎｇ）」とが対応付けられている。また、ファイル名「ａｕｄｉｏ４．ｗａｖ」と、曲名「ｓｏｎｇ４」と、符号化方式「ＷＡＶ（ＲＩＦＦ  ｗａｖｅｆｏｒｍ  Ａｕｄｉｏ  Ｆｏｒｍａｔ）」とが対応付けられ、ファイル名「ａｕｄｉｏ５．ｆｌａｃ」と、曲名「ｓｏｎｇ５」と、符号化方式「ＦＬＡＣ（Ｆｒｅｅ  Ｌｏｓｓｌｅｓｓ  Ａｕｄｉｏ  Ｃｏｄｅｃ）」とが対応付けられている。さらに、ファイル名「ａｕｄｉｏ６．ｏｇｇ」と、曲名「ｓｏｎｇ６」と、符号化方式「Ｏｇｇ」とが対応付けられ、ファイル名「ａｕｄｉｏ７．ｗｍａ」と、曲名「ｓｏｎｇ７」と、符号化方式「ＷＭＡ（Ｗｉｎｄｏｗｓ（登録商標）  Ｍｅｄｉａ  Ａｕｄｉｏ）」とが対応付けられている。
【００９１】
［１−３．復号対応テーブル］
次に、情報処理装置１０４の記憶部２１６に記録されている復号対応テーブルについて説明する。
【００９２】
図４は、復号対応テーブルの一例を示す図である。
【００９３】
復号対応テーブルは、複数の符号化方式のそれぞれについて、当該符号化方式が復号部２１３によって復号可能な方式であるか否かと、当該符号化方式がスピーカ装置（第１のスピーカ装置１０２の復号部２０４および第２のスピーカ装置１０３の復号部２０７）によって復号可能な方式であるか否かとを示す情報である。言い換えれば、復号対応テーブルは、対象符号化方式が復号部２１３によって復号可能な方式であるか否かと、対象符号化方式がスピーカ装置によって復号可能な方式であるか否かとを示す情報である。
【００９４】
図４に示される復号対応テーブル中の○は、情報処理装置１０４、第１のスピーカ装置１０２、および第２のスピーカ装置１０３の各装置が、対応する符号化方式で符号化されたオーディオ信号の復号が可能であることを示している。同様に、復号対応テーブル中の×は、各装置が、対応する符号化方式で符号化されたオーディオ信号の復号が不可能であることを示している。
【００９５】
具体的には、図４に示される復号対応テーブルは、情報処理装置１０４の復号部２１３が、符号化方式ＭＰ３、ＡＡＣ、ＷＡＶで符号化されたオーディオ信号を復号することが可能であることを示している。また、図４に示される復号対応テーブルは、情報処理装置１０４の復号部２１３が、符号化方式ＦＬＡＣ、Ｏｇｇ、ＷＭＡで符号化されたオーディオ信号を復号することが不可能であることを示している。
【００９６】
同様に、図４に示される復号対応テーブルは、第１のスピーカ装置１０２の復号部２０４が、符号化方式ＭＰ３、ＦＬＡＣ、Ｏｇｇ、ＷＭＡで符号化されたオーディオ信号を復号可能であり、符号化方式ＡＡＣ、ＷＡＶで符号化されたオーディオ信号を復号不可能であることを示している。
【００９７】
同様に、図４に示される復号対応テーブルは、第２のスピーカ装置１０３の復号部２０７が、符号化方式ＭＰ３、ＦＬＡＣ、Ｏｇｇ、ＷＭＡで符号化されたオーディオ信号を復号可能であり、符号化方式ＡＡＣ、ＷＡＶで符号化されたオーディオ信号を復号不可能であることを示している。
【００９８】
［１−４．通信方式対応テーブル］
次に、情報処理装置１０４の記憶部２１６に記録されている通信方式対応テーブルについて説明する。
【００９９】
図５は、通信方式対応テーブルの一例を示す図である。
【０１００】
通信方式対応テーブルは、スピーカ装置（第１のスピーカ装置１０２および第２のスピーカ装置１０３）がＢｌｕｅｔｏｏｔｈ（第１の通信方式）で通信可能か否かと、スピーカ装置がＤＬＮＡ（第２の通信方式）で通信可能か否かとを示す情報である。
【０１０１】
図５に示される通信方式対応テーブル中の○は、第１のスピーカ装置１０２および第２のスピーカ装置１０３の各スピーカ装置が、対応する通信方式での通信が可能であることを示している。同様に、通信方式対応テーブル中の×は、各スピーカ装置が、対応する通信方式での通信が不可能であることを示している。
【０１０２】
具体的には、図５に示される通信方式対応テーブルは、第１のスピーカ装置１０２がＢｌｕｅｔｏｏｔｈによる通信とＤＬＮＡによる通信との両方が可能であることを示している。同様に、通信方式対応テーブルは、第２のスピーカ装置１０３がＢｌｕｅｔｏｏｔｈによる通信は可能であるが、ＤＬＮＡによる通信は不可能であることを示している。
【０１０３】
なお、復号対応テーブルおよび通信方式対応テーブルは、例えば、情報処理装置１０４が、外部記憶装置１０１、第１のスピーカ装置１０２、および第２のスピーカ装置１０３と事前に通信を行って機器認証（スピーカ装置の検出）を行う際に、記憶部２１６に記憶される。
【０１０４】
［１−５．制御の判断基準］
次に、制御部２１１が、第１の制御を行うか、第２の制御を行うかの判断基準について説明する。
【０１０５】
第１の制御では、制御部２１１は、再生対象のオーディオ信号を復号部２１３に復号させ、復号された再生対象のオーディオ信号をＢＴ通信部２１２からスピーカ装置（第１のスピーカ装置１０２および第２のスピーカ装置１０３）に送信する必要がある。
【０１０６】
したがって、制御部２１１が第１の制御を行うためには、（１）再生対象のオーディオ信号の符号化方式（対象符号化方式）が、復号部２１３で復号可能な方式であり、なおかつ、（２）ユーザーが選択したスピーカ装置がＢｌｕｅｔｏｏｔｈ（第１の通信方式）で通信可能である必要がある。
【０１０７】
同様に、第２の制御では、制御部２１１は、再生対象のオーディオ信号を外部記憶装置１０１に直接スピーカ装置へ送信させてスピーカ装置に復号させる。
【０１０８】
したがって、制御部２１１が第２の制御を行うためには、（１）再生対象のオーディオ信号の符号化方式（対象符号化方式）が、ユーザーが選択したスピーカ装置で復号可能な方式であり、なおかつ、（２）ユーザーが選択したスピーカ装置がＤＬＮＡ（第２の通信方式）で通信可能である必要がある。
【０１０９】
制御部２１１は、対象符号化方式と、復号可否情報と、通信可否情報とに基づいて、第１の制御または第２の制御の少なくとも一方の制御が実行可能な場合は、再生対象のオーディオ信号を、ユーザーが選択したスピーカ装置で再生することができる。
【０１１０】
符号化方式と、当該符号化方式で符号化されたオーディオ信号の再生可否をまとめた表を図６に示す。
【０１１１】
図６は、符号化方式と、当該符号化方式で符号化されたオーディオ信号の再生可否を示す図である。なお、図６において、○は、再生可能を示し、×は、再生不可能を示す。
【０１１２】
オーディオ信号再生システム１００では、第１のスピーカ装置１０２では、図６に示される全ての符号化方式で符号化されたオーディオ信号が再生可能である。一方、第１のスピーカ装置１０２では、ＦＬＡＣ、Ｏｇｇ、およびＷＭＡの符号化方式で符号化されたオーディオ信号については、再生不可能である。
【０１１３】
なお、ＤＬＮＡでは、サーバ（ＤＭＳ：Ｄｉｇｉｔａｌ  Ｍｅｄｉａ  Ｓｅｒｖｅｒ）、クライアント（ＤＭＰ：Ｄｉｇｉｔａｌ  Ｍｅｄｉａ  Ｐｌａｙｅｒ、または、ＤＭＲ：Ｄｉｇｉｔａｌ  Ｍｅｄｉａ  Ｒｅｎｄｅｒｅｒ）、コントローラ（ＤＭＣ：Ｄｉｇｉｔａｌ  Ｍｅｄｉａ  Ｃｏｎｔｒｏｌｌｅｒ）といった、デバイスクラスが各装置に設定される。つまり、各装置には、デバイスクラスに応じた機能が割り当てられている。
【０１１４】
具体的には、サーバ（ＤＭＳ）は、コンテンツ（オーディオ信号）をクライアント（ＤＭＰおよびＤＭＲ）に配信する機能を有し、クライアント（ＤＭＰ）は、サーバ内のコンテンツを検索して、再生する機能を有し、クライアント（ＤＭＲ）は、コンテンツの再生機能だけを有する。
【０１１５】
コントローラ（ＤＭＣ）は、サーバ（ＤＭＳ）とクライアント（ＤＭＰおよびＤＭＲ）をコントロールする機能を有し、サーバ（ＤＭＳ）にコンテンツの再生を指示して、クライアント（ＤＭＰおよびＤＭＲ）で再生させることができる。
【０１１６】
実施の形態１では、外部記憶装置１０１は、ＤＭＳ、第１のスピーカ装置１０２は、ＤＭＲ、情報処理装置１０４は、ＤＭＣに設定されている。したがって、制御部２１１は、ユーザーが第１のスピーカ装置１０２を選択した場合は、第２の制御をなし得る。
【０１１７】
なお、第２の制御は、ＤＬＮＡ以外の通信方式であっても、同様の制御が可能な通信方式であれば実行可能である。
【０１１８】
［２．オーディオ信号再生システムの動作］
［２−１．第１の選択例］
次に、オーディオ信号再生システム１００の動作について、図７および図８を用いて説明する。
【０１１９】
図７は、オーディオ信号再生システムの動作のフローチャートである。
【０１２０】
図８は、情報処理装置１０４の表示部２１７に表示される選択画面を示す図である。
【０１２１】
以下では、ユーザーが選択するオーディオ信号およびスピーカ装置が異なる４つの選択例について説明する。はじめに、第１の選択例について説明する。
【０１２２】
入力部２１４は、再生対象のオーディオ信号と、これを再生するスピーカ装置との選択を受け付ける（Ｓ７０１）。
【０１２３】
このとき、制御部２１１は、まず、ＤＬＮＡ通信部２１０によって外部記憶装置１０１と通信を行い、図３に示されるオーディオ信号リストを取得する。そして、制御部２１１は、オーディオ信号リストに基づいて、楽曲選択画面を表示部２１７に表示する。
【０１２４】
楽曲選択画面は、例えば、図８の（ａ）に示されるような画面である。ユーザーは、表示部２１７に表示された曲名にタッチすることで、再生対象のオーディオ信号を選択する。ここでは、第１の選択例として、ユーザーは、「ｓｏｎｇ３」を選択するものとする。
【０１２５】
入力部２１４がユーザーの再生対象のオーディオ信号の選択を受け付けた場合、制御部２１１は、スピーカ装置選択画面を表示部２１７に表示する。具体的には、制御部２１１は、通信部２１８（ＤＬＮＡ通信部２１０およびＢＴ通信部２１２）が通信可能な複数のスピーカ装置を示すアイコンを表示部２１７に表示する。
【０１２６】
スピーカ装置選択画面は、例えば、図８の（ｂ）に示されるような画面である。図８の（ｂ）に示されるように、スピーカ装置選択画面では、第１のスピーカ装置１０２を示すアイコン３０１と、第２のスピーカ装置１０３を示すアイコン３０２とが表示部２１７に表示される。なお、以下の説明では、アイコン３０１および３０２のそれぞれをスピーカ装置候補とも記載する。
【０１２７】
ユーザーは、表示部２１７に表示されたアイコンにタッチすることで、スピーカ装置候補の中からスピーカ装置を選択する。ここでは、ユーザーは、「第１のスピーカ装置」を選択するものとする。
【０１２８】
次に、検出部２１５は、オーディオ信号リストに基づいて再生対象のオーディオ信号の符号化方式を対象符号化方式として検出する（Ｓ７０２）。ステップＳ７０１では、ユーザーは、「ｓｏｎｇ３」を選択しているため、検出部２１５は、「ＡＡＣ」を対象符号化方式として検出する。
【０１２９】
なお、制御部２１１は、ステップＳ７０１では、オーディオ信号の曲名だけをＤＬＮＡ通信部２１０を通じて取得し、ステップＳ７０２において、ＤＬＮＡ通信部２０２を通じてオーディオ信号リストを取得してもよい。
【０１３０】
次に、制御部２１１は、記憶部２１６に記憶されている復号対応テーブルを参照し、情報処理装置１０４の復号部２１３が「ＡＡＣ」で符号化されたオーディオ信号を復号可能かどうかを判断する（Ｓ７０３）。
【０１３１】
図４の復号対応テーブルによれば、情報処理装置１０４（復号部２１３）は、「ＡＡＣ」で符号化されたオーディオ信号を復号可能である（Ｓ７０３でＹｅｓ）。
【０１３２】
続いて、制御部２１１は、記憶部２１６に記憶されている通信方式対応テーブルを参照し、情報処理装置１０４とユーザーが選択したスピーカ装置（第１のスピーカ装置１０２）とが第１の通信方式（Ｂｌｕｅｔｏｏｔｈ）によって通信可能かどうかを判断する（Ｓ７０４）。
【０１３３】
図５の通信方式対応テーブルによれば、第１のスピーカ装置１０２は、情報処理装置１０４とＢｌｕｅｔｏｏｔｈによる通信が可能である（Ｓ７０４でＹｅｓ）。なお、ユーザーが選択したスピーカ装置が第１の通信方式によって通信不可能な場合には（Ｓ７０４でＮｏ）、ステップＳ７０７動作が行われる。ステップＳ７０７の動作については、別の選択例で説明する。
【０１３４】
続いて、復号部２１３は、再生対象のオーディオ信号を復号する（Ｓ７０５）。具体的には、制御部２１１は、ＤＬＮＡ通信部２１０をＤＬＮＡ通信部２０２と通信させ、記憶部２０１に記憶されている「ｓｏｎｇ３」に対応するオーディオ信号のファイルである「ａｕｄｉｏ３．ａａｃ」を外部記憶装置１０１から取得する。言い換えれば、制御部２１１は、ＤＬＮＡ通信部２１０に、外部記憶装置１０１から再生対象のオーディオ信号を取得させる。
【０１３５】
そして、制御部２１１は、取得した「ａｕｄｉｏ３．ａａｃ」のファイルを情報処理装置１０４の復号部２１３で復号する。言い換えれば、制御部２１１は、取得された再生対象のオーディオ信号を復号部２１３に復号させる。
【０１３６】
最後に、制御部２１１は、ＢＴ通信部２１２をＢＴ通信部２０６と通信させ、復号部２１３が復号した再生対象のオーディオ信号を第１のスピーカ装置１０２に送信する。そして、第１のスピーカ装置１０２は、受信した復号済みの再生対象のオーディオ信号を出音部２０５から出力し再生する（Ｓ７０６）。
【０１３７】
以上説明した第１の選択例では、制御部２１１は、情報処理装置１０４が自ら再生対象のオーディオ信号を復号し、復号後のオーディオ信号をユーザーが選択したスピーカ装置に送信する、第１の制御を行う。第１の制御によれば、ユーザーが選択したスピーカ装置が復号できないオーディオ信号を、当該スピーカ装置で再生することができる。なぜなら、情報処理装置１０４がスピーカ装置の代わりにオーディオ信号を復号し、復号後のオーディオ信号をスピーカ装置へ送信するからである。
【０１３８】
［２−２．第２の選択例］
次に、第２の選択例について説明する。以下の第２の選択例では、ユーザーは、再生対象のオーディオ信号として、「ｓｏｎｇ５」を、スピーカ装置として「第１のスピーカ装置」を選択するものとする。
【０１３９】
まず、入力部２１４は、「ｓｏｎｇ５」の選択と、「第１のスピーカ装置」の選択とを受け付ける（Ｓ７０１）。
【０１４０】
検出部２１５は、オーディオ信号リストに基づいて「ｓｏｎｇ５」に対応する符号化方式である「ＦＬＡＣ」を対象符号化方式として検出する（Ｓ７０２）。
【０１４１】
図４の復号対応テーブルによれば、情報処理装置１０４は「ＦＬＡＣ」で符号化されたオーディオ信号を復号不可能である。したがって、制御部２１１は、復号部２１３が「ＦＬＡＣ」で符号化されたオーディオ信号を復号不可能と判断する（Ｓ７０３でＮｏ）。
【０１４２】
次に、制御部２１１は、記憶部２１６に記憶されている復号対応テーブルを参照し、第１のスピーカ装置１０２の復号部２０４が「ＦＬＡＣ」で符号化されたオーディオ信号を復号可能かどうかを判断する（Ｓ７０７）。図４の復号対応テーブルによれば、第１のスピーカ装置１０２（復号部２０４）は「ＦＬＡＣ」で符号化されたオーディオ信号を復号可能である（Ｓ７０７でＹｅｓ）。
【０１４３】
次に、制御部２１１は、記憶部２１６に記憶されている通信方式対応テーブルを参照し、外部記憶装置１０１とユーザーが選択したスピーカ装置（第１のスピーカ装置１０２）とが第２の通信方式（ＤＬＮＡ）によって通信可能かどうかを判断する（Ｓ７０８）。
【０１４４】
図５の通信方式対応テーブルによれば、第１のスピーカ装置１０２は、外部記憶装置１０１とＤＬＮＡによる通信が可能である（Ｓ７０８でＹｅｓ）。
【０１４５】
続いて、制御部２１１は、ＤＬＮＡ通信部２１０をＤＬＮＡ通信部２０２と通信させ、記憶部２０１に記憶されている「ｓｏｎｇ５」に対応するオーディオ信号のファイルである「ａｕｄｉｏ５．ｆｌａｃ」を外部記憶装置１０１から第１のスピーカ装置１０２に直接送信させる制御を行う。第１のスピーカ装置１０２は、ＤＬＮＡ通信部２０３を通じて取得した「ａｕｄｉｏ５．ｆｌａｃ」を復号部２０４で復号し、出音部２０５から出力し再生する（Ｓ７１０）。言い換えれば、制御部２１１は、再生対象のオーディオ信号を外部記憶装置１０１に直接第１のスピーカ装置１０２へ送信させて、第１のスピーカ装置１０２に復号させる。
【０１４６】
以上説明した第２の選択例では、制御部２１１は、再生対象のオーディオ信号を復号することなく、再生対象のオーディオ信号をユーザーが選択したスピーカ装置において復号することによって当該スピーカ装置で再生する、第２の制御を行う。
【０１４７】
第２の制御によれば、情報処理装置１０４が復号できないオーディオ信号をユーザーが選択したスピーカ装置で再生することができる。
【０１４８】
［２−３．第３の選択例］
次に、第３の選択例について説明する。以下の第２の選択例では、ユーザーは、再生対象のオーディオ信号として、「ｓｏｎｇ１」を、スピーカ装置として「第２のスピーカ装置」を選択するものとする。
【０１４９】
まず、入力部２１４は、「ｓｏｎｇ１」の選択と、「第２のスピーカ装置」の選択とを受け付ける（Ｓ７０１）。
【０１５０】
検出部２１５は、オーディオ信号リストに基づいて「ｓｏｎｇ１」に対応する符号化方式である「ＭＰ３」を対象符号化方式として検出する（Ｓ７０２）。
【０１５１】
図４の復号対応テーブルの例では、情報処理装置１０４は「ＭＰ３」で符号化されたオーディオ信号を復号可能である。したがって、制御部２１１は、復号部２１３が「ＭＰ３」で符号化されたオーディオ信号を復号可能と判断する（Ｓ７０３でＹｅｓ）。
【０１５２】
次に、制御部２１１は、記憶部２１６に記憶されている通信方式対応テーブルを参照し、情報処理装置１０４とユーザーが選択したスピーカ装置とが第１の通信方式によって通信可能かどうかを判断する（Ｓ７０４）。
【０１５３】
図５の通信方式対応テーブルによれば、第２のスピーカ装置１０３は、情報処理装置１０４とＢｌｕｅｔｏｏｔｈによる通信が可能である（Ｓ７０４でＹｅｓ）。
【０１５４】
続いて、復号部２１３は、再生対象のオーディオ信号を復号する（Ｓ７０５）。具体的には、制御部２１１は、ＤＬＮＡ通信部２１０をＤＬＮＡ通信部２０２と通信させ、記憶部２０１に記憶されている「ｓｏｎｇ１」に対応するオーディオ信号のファイルである「ａｕｄｉｏ１．ｍｐ３」を外部記憶装置１０１から取得する。そして、制御部２１１は、取得した「ａｕｄｉｏ１．ｍｐ３」のファイルを情報処理装置１０４の復号部２１３で復号する。
【０１５５】
最後に、制御部２１１は、ＢＴ通信部２１２をＢＴ通信部２０９と通信させ、復号部２１３が復号した再生対象のオーディオ信号を第２のスピーカ装置１０３に送信する。そして、第２のスピーカ装置１０３は、受信した復号済みの再生対象のオーディオ信号を出音部２０８から出力し再生する（Ｓ７０６）。
【０１５６】
以上説明した第３の選択例では、外部記憶装置１０１と、ユーザーが選択したスピーカ装置が直接通信できない場合であっても、ユーザーが選択したスピーカ装置においてオーディオ信号を再生することができる。なぜなら、情報処理装置１０４が外部記憶装置１０１からオーディオ信号を取得し、さらに復号して、復号後のオーディオ信号をスピーカ装置に送信するからである。
【０１５７】
［２−４．第４の選択例］
次に、第４の選択例について説明する。以下の第４の選択例では、ユーザーは、再生対象のオーディオ信号として、「ｓｏｎｇ６」を、スピーカ装置として「第２のスピーカ装置」を選択するものとする。
【０１５８】
まず、入力部２１４は、「ｓｏｎｇ６」の選択と、「第２のスピーカ装置」の選択とを受け付ける（Ｓ７０１）。
【０１５９】
検出部２１５は、オーディオ信号リストに基づいて「ｓｏｎｇ６」に対応する符号化方式である「Ｏｇｇ」を対象符号化方式として検出する（Ｓ７０２）。
【０１６０】
図４の復号対応テーブルによれば、情報処理装置１０４は「Ｏｇｇ」で符号化されたオーディオ信号を復号不可能である。したがって、制御部２１１は、復号部２１３が「Ｏｇｇ」で符号化されたオーディオ信号を復号不可能と判断する（Ｓ７０３でＮｏ）。
【０１６１】
次に、制御部２１１は、記憶部２１６に記憶されている復号対応テーブルを参照し、第２のスピーカ装置１０３の復号部２０７が「Ｏｇｇ」で符号化されたオーディオ信号を復号可能かどうかを判断する（Ｓ７０７）。図４の復号対応テーブルによれば、第２のスピーカ装置１０３（復号部２０７）は、「Ｏｇｇ」で符号化されたオーディオ信号を復号可能である（Ｓ７０７でＹｅｓ）。
【０１６２】
次に、制御部２１１は、記憶部２１６に記憶されている通信方式対応テーブルを参照し、外部記憶装置１０１とユーザーが選択したスピーカ装置（第２のスピーカ装置１０３）とが第２の通信方式（ＤＬＮＡ）によって通信可能かどうかを判断する（Ｓ７０８）。
【０１６３】
図５の通信方式対応テーブルによれば、第２のスピーカ装置１０３は、外部記憶装置１０１とＤＬＮＡによる通信が不可能である（Ｓ７０８でＮｏ）。
【０１６４】
最後に、制御部２１１は、表示部２１７に「ｓｏｎｇ６」が「第２のスピーカ装置」において再生できない旨のメッセージを表示する制御（第３の制御）を行う（Ｓ７０９）。なお、このメッセージは、ステップＳ７０７において、ユーザーが選択したスピーカ装置が再生対象のオーディオ信号を復号できない場合（Ｓ７０７でＮｏ）も、表示される。
【０１６５】
以上説明した第４の選択例では、情報処理装置１０４は、第１の制御および第２の制御のいずれの制御も実行できないため、ユーザーが選択したスピーカ装置で再生対象のオーディオ信号を再生することができない。このような場合は、情報処理装置１０４は、表示部２１７にメッセージを表示することにより、オーディオ信号が再生不可能である旨をユーザーへ伝えることができる。
【０１６６】
［３．効果等］
以上のように、実施の形態１に係るオーディオ信号再生システム１００（情報処理装置１０４）によれば、ユーザーは、再生対象のオーディオ信号の符号化方式がスピーカ装置が復号できる方式であるか否か、およびスピーカ装置が外部記憶装置と通信可能であるか否かを意識することなく、再生対象のオーディオ信号を簡単にスピーカ装置において再生することができる。
【０１６７】
さらに、オーディオ信号再生システム１００（情報処理装置１０４）によれば、ユーザーは、再生対象のオーディオ信号を復号する装置を選択する必要はない、同様に、ユーザーは、外部記憶装置、情報処理装置、およびスピーカ装置のそれぞれの間の通信方式を選択する必要もない。
【０１６８】
（他の実施の形態）
実施の形態１の説明は、実装の一例として説明した。しかしこれに限定されず、適宜、変更、書き換え、付加、省略などを行った実施の形態にも適用可能である。また、実施の形態１で説明した各構成要素を組み合わせて、新たな実施の形態とすることも可能である。
【０１６９】
そこで、他の実施の形態についてまとめて説明する。
【０１７０】
実施の形態１では、情報処理装置１０４が復号可能な符号化方式を判断するステップ（図７のステップＳ７０３）と、ユーザーが選択したスピーカ装置が復号可能な符号化方式の符号化方式を判断するステップ（図７のステップＳ７０７）とがそれぞれ別個に設けられたが、情報処理装置１０４が復号可能な符号化方式とユーザーが選択したスピーカ装置が復号可能な符号化方式とが同じであれば、これらの判断は、１つのステップにおいて行われてもよい。
【０１７１】
実施の形態１では、外部記憶装置１０１とユーザーが選択したスピーカ装置との通信（第２の通信方式（ＤＬＮＡ）による通信）が可能かどうかを確認するステップ（図７のステップＳ７０８）が設けられた。しかしながら、ネットワーク上の全てのスピーカ装置が外部記憶装置１０１と通信可能である場合は、このようなステップは、省いてもかまわない。
【０１７２】
同様に、情報処理装置１０４とユーザーが選択したスピーカ装置との通信（第１の通信方式（Ｂｌｕｅｔｏｏｔｈ）による通信）が可能かどうかを確認するステップ（図７のステップＳ７０８）についても、省略可能である。
【０１７３】
すなわち、制御部２１１は、少なくとも、対象符号化方式と、復号可否情報（復号対応テーブル）とに基づいて、第１の制御、または、第２の制御を行えばよく、通信可否情報（通信対応テーブル）は、必須でない。
【０１７４】
実施の形態１で説明した、制御部２１１、復号部２１３（復号部２０４および２０７）、検出部２１５は、プログラム可能なマイクロコンピュータで実現可能である。また、制御部２１１、復号部２１３、検出部２１５は、ハードロジックで実現されてもよく、物理的にどのように構成されてもよい。
【０１７５】
すなわち、実施の形態１において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１７６】
また、実施の形態１では、オーディオ信号は、曲単位で選択されたが、ユーザーが再生したい曲をリスト化したプレイリストを選択するようにしてもよい。
【０１７７】
この場合、第１の制御により、選択されたプレイリスト中の１つのオーディオ信号が再生されているときに、次のオーディオ信号に対して第１の制御が実行できない場合、制御部２１１は、第２の制御を実行することで、次のオーディオ信号をシームレスに再生することが可能である。
【０１７８】
つまり、情報処理装置１０４によれば、プレイリストの再生中にオーディオ信号の符号化方式が変わっても、継続してスピーカ装置から出音することができる。
【０１７９】
さらに、プレイリストによって曲が連続再生される場合でなく、ユーザーが直接次のオーディオ信号を選択した場合も、制御部２１１は、第１の制御および第２の制御を切り替えて実行することで、次のオーディオ信号をシームレスに再生することが可能である。
【０１８０】
また、実施の形態１では、各スピーカ装置が対応している通信方式は、記憶部２１６に記憶されている通信方式対応テーブルを用いて判断されたが、情報処理装置１０４が各通信方式を用いてスピーカ装置を検索（検出）してもよい。
【０１８１】
例えば、実施の形態１のような場合、情報処理装置１０４のＢＴ通信部２１２がＢｌｕｅｔｏｏｔｈによる通信が可能なスピーカ装置を検索することにより、第１のスピーカ装置１０２と第２のスピーカ装置１０３とが検出される。よって、制御部２１１は、通信方式対応テーブルを用いなくても、第１のスピーカ装置１０２および第２のスピーカ装置１０３が、Ｂｌｕｅｔｏｏｔｈによる通信が可能であると判断できる。
【０１８２】
同様に、情報処理装置１０４のＤＬＮＡ通信部２１０がＤＬＮＡによる通信が可能なスピーカ装置を検索することにより、制御部２１１は、第１のスピーカ装置１０２がＤＬＮＡによる通信可能であることがわかる。
【０１８３】
また、第１のスピーカ装置１０２は、第１の通信方式で通信可能であり、なおかつ、第２の通信方式で通信可能であるため、データ処理上は、２つのスピーカ装置として区別して識別される。つまり、データ処理上は、第１の通信方式で通信可能な第１のスピーカ装置１０２と第２の通信方式で通信可能な第１のスピーカ装置１０２とは、２つのスピーカ装置として取り扱われる。
【０１８４】
ここで、制御部２１１は、再生対象のオーディオ信号が、第１の制御により第１のスピーカ装置１０２において再生できる場合と、第２の制御により第１のスピーカ装置１０２において再生できる場合との両方において、第１のスピーカ装置１０２を示す同一のアイコンをスピーカ装置候補として表示部２１７に表示する制御を行ってもよい。
【０１８５】
これにより、図８の（ｂ）に示されるように、表示部２１７には、第１のスピーカ装置１０２を示す１つアイコン３０１のみが表示される。したがって、ユーザーは、通信方式を意識することなく、快適に楽曲を楽しむことができる。
【０１８６】
また、本実施の形態１では、符号化方式として、ＭＰ３、ＡＡＣ、ＷＡＶ、ＦＬＡＣ、Ｏｇｇ、およびＷＭＡが用いられる例について説明したが、他の符号化方式が用いられてもよい。
【０１８７】
また、実施の形態１では、通信方式として、ＢｌｕｅｔｏｏｔｈとＤＬＮＡとを用いられる例について説明したが、ＡｉｒＰｌａｙ（Ａｐｐｌｅ社の独自ストリーミング技術）（登録商標）など他の無線通信方式が用いられてもよい。
【０１８８】
実施の形態１では、検出部２１５は、復号対応テーブルに基づいて符号化方式を検出したが、検出部２１５は、ファイル名の拡張子やファイル内データから符号化方式を検出してもよい。
【０１８９】
実施の形態１のオーディオ信号再生システム１００の動作（図７）のステップＳ７０１では、制御部２１１は、ユーザーにスピーカ装置を選択させるために、通信部２１８が通信可能な全てのスピーカ装置を示すアイコンをスピーカ装置候補として表示部２１７に表示した。
【０１９０】
しかしながら、ステップＳ７０１では、再生対象のオーディオ信号を再生することができるスピーカ装置を示すアイコンのみがスピーカ装置候補として表示部２１７に表示されてもよい。
【０１９１】
図９は、再生対象のオーディオ信号を再生することができるスピーカ装置を選択する動作のフローチャートである。
【０１９２】
なお、図９に示されるフローチャートの動作は、図７に示されるフローチャートのステップＳ７０１における処理の一部として実行される。具体的には、入力部２１４がオーディオ信号の選択を受け付けた後、スピーカ装置の選択を受け付ける前に行われる。
【０１９３】
また、図９に示されるフローチャートの動作は、情報処理装置１０４が通信可能な全てのスピーカ装置それぞれに対して行われるものとする。
【０１９４】
まず、入力部２１４がオーディオ信号の選択を受け付けた後、検出部２１５は、再生対象のオーディオ信号の符号化方式を対象符号化方式として検出する（Ｓ９０１）。
【０１９５】
次に、制御部２１１は、記憶部２１６に記憶されている復号対応テーブルを参照し、情報処理装置１０４の復号部２１３が対象符号化方式で符号化されたオーディオ信号を復号可能であるか否かを判断する（Ｓ９０２）。
【０１９６】
対象符号化方式が、情報処理装置１０４の復号部２１３で復号可能な方式である場合、（Ｓ９０２でＹｅｓ）制御部２１１は、スピーカ装置が第１の通信方式で通信可能であるか否かを判断する（Ｓ９０３）。
【０１９７】
スピーカ装置が第１の通信方式で通信可能な場合（Ｓ９０３でＹｅｓ）、スピーカ装置は、対象スピーカ装置として選択される（Ｓ９０６）。
【０１９８】
スピーカ装置が第１の通信方式で通信不可能な場合（Ｓ９０３でＮｏ）、制御部２１１は、スピーカ装置が再生対象のオーディオ信号を復号可能か否かを判断する（Ｓ９０４）。スピーカ装置が再生対象のオーディオ信号を復号不可能な場合（Ｓ９０４でＮｏ）、当該スピーカ装置は、対象スピーカ装置候補として選択されない。
【０１９９】
スピーカ装置が再生対象のオーディオ信号を復号可能な場合（Ｓ９０４でＹｅｓ）、制御部２１１は、スピーカ装置が第２の通信方式で通信可能であるか否かを判断する（Ｓ９０５）。スピーカ装置が第２の通信方式で通信不可能である場合（Ｓ９０５でＮｏ）、当該スピーカ装置は、対象スピーカ装置として選択されない。
【０２００】
対象スピーカ装置が第２の通信方式で通信可能である場合（Ｓ９０５でＹｅｓ）、制御部２１１は、スピーカ装置を対象スピーカ装置として選択する（Ｓ９０６）。
【０２０１】
制御部２１１は、情報処理装置１０４が通信可能な全てのスピーカ装置に対して図９のフローチャートに示される選択を行った後、選択した全ての対象スピーカを示すアイコンをスピーカ装置候補として表示部２１７に表示する。
【０２０２】
例えば、再生対象のオーディオ信号が、ＦＬＡＣで符号化されている場合、再生対象のオーディオ信号は、第１のスピーカ装置１０２で再生することは可能であるが、第２のスピーカ装置１０３では再生できない。したがって、図８の（ｃ）に示されるように、制御部２１１は、第１のスピーカ装置１０２を示すアイコン３０１のみを表示部２１７に表示する。
【０２０３】
そして、入力部２１４は、スピーカ装置（スピーカ装置候補）の選択を受け付ける。その後、図７のフローチャートのステップＳ７０２以降の動作が行われる。
【０２０４】
これにより、ユーザーが選択したスピーカ装置において再生対象のオーディオ信号が再生されないことがなくなるため、ユーザーは快適に楽曲を楽しむことができる。
【０２０５】
また、図７のフローチャートでは、第１の制御が可能であるかの判断が先に行われ、その後、第２の制御が可能であるかの判断が行われた。具体的には、実施の形態１では、制御部２１１は、まず、対象符号化方式が復号部２１３で復号可能な方式であることを復号可否情報が示し、なおかつ、ユーザーが選択したスピーカ装置が第１の通信方式で通信可能であることを通信可否情報が示す第１のケースに該当するか否かを判断する。そして、制御部２１１は、第１のケースに該当する場合には、第１の制御を行う。第１のケースに該当しない場合は、制御部２１１は、対象符号化方式がユーザーが選択したスピーカ装置で復号可能であることを復号可否情報が示し、なおかつ、ユーザーが選択したスピーカ装置が第２の通信方式で通信可能であることを通信可否情報が示す第２のケースに該当するか否かを判断する。そして、制御部２１１は、第２のケースに該当する場合には、第２の制御を行う。
【０２０６】
しかしながら、第２の制御が可能であるかの判断が先に行われ、その後、第１の制御が可能であるかの判断が行われてもよい。すなわち、制御部２１１は、まず、第２のケースに該当するか否かを判断し、該当する場合には第２の制御を行い、第２のケースに該当しない場合は、第１のケースに該当するか否かを判断し、該当する場合には第１の制御を行ってもよい。
【０２０７】
また、制御部２１１は、第１の制御および第２の制御の両方が可能であると判断される場合には、どちらの制御を優先して行ってもよい。
【０２０８】
なお、本開示のオーディオ信号再生システム１００は、例えば、図１０に示されるように、家庭内の無線ルータ４００によってネットワーク接続された複数の機器により構成される。
【０２０９】
例えば、図１０に示されるＰＣ４０１を外部記憶装置として使用し、タブレット端末４０２を情報処理装置として使用することができる。この場合、ユーザーは、タブレット端末４０２を使って、家庭内の様々な場所に設置された、ミニコンポ４０３、並びにネットワークスピーカ４０４、４０５、４０６、および４０７において、ＰＣ４０１に記憶されたオーディオ信号を簡単に再生することが可能となる。
【０２１０】
以上のように、添付図面および詳細な説明によって、出願人がベストモードと考える実施の形態と他の実施の形態とを提供した。これらは、特定の実施の形態を参照することにより、当業者に対して、請求の範囲に記載の主題を例証するために提供されるものである。
【０２１１】
したがって、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、請求の範囲またはその均等の範囲において、上述の実施の形態に対して、種々の変更、置き換え、付加、省略などを行うことができる。
【産業上の利用可能性】
【０２１２】
本開示は、装置間において無線通信を用いるオーディオ信号再生システム等に有効に利用することができる。
【符号の説明】
【０２１３】
１００  オーディオ信号再生システム
１０１  外部記憶装置
１０２  第１のスピーカ装置
１０３  第２のスピーカ装置
１０４  情報処理装置
２０１、２１６  記憶部
２０２、２０３、２１０  ＤＬＮＡ通信部
２０４、２０７、２１３  復号部
２０５、２０８  出音部
２０６、２０９、２１２  ＢＴ通信部
２１１  制御部
２１４  入力部
２１５  検出部
２１７  表示部
２１８  通信部
３０１、３０２  アイコン
４００  無線ルータ
４０１  ＰＣ
４０２  タブレット端末
４０３  ミニコンポ
４０４〜４０７  ネットワークスピーカ
【図１】
2014097500.tif 000003
【図２】
2014097500.tif 000004
【図３】
2014097500.tif 000005
【図４】
2014097500.tif 000006
【図５】
2014097500.tif 000007
【図６】
2014097500.tif 000008
【図７】
2014097500.tif 000009
【図８】
2014097500.tif 000010
【図９】
2014097500.tif 000011
【図１０】
2014097500.tif 000012
【手続補正書】
【提出日】平成27年1月20日(2015.1.20)
【手続補正１】
【補正対象書類名】明細書
【補正対象項目名】全文
【補正方法】変更
【補正の内容】
【発明の詳細な説明】
【技術分野】
【０００１】
本開示は、外部記憶装置に記憶されたオーディオ信号をスピーカ装置で再生する制御を行う情報処理装置および制御方法に関する。
【背景技術】
【０００２】
特許文献１には、携帯端末で再生しているコンテンツを他のコンテンツ再生装置で継続視聴することができる携帯端末が開示されている。
【先行技術文献】
【特許文献】
【０００３】
【特許文献１】特開２００９−０６０５１２号公報
【発明の概要】
【発明が解決しようとする課題】
【０００４】
ところで、近年、ユーザーは、携帯端末、パソコン、ＮＡＳ（Ｎｅｔｗｏｒｋ  Ａｔｔａｃｈｅｄ  Ｓｔｏｒａｇｅ）などの外部記憶装置に再生コンテンツをダウンロードして、音楽を楽しむことが多くなってきている。
【０００５】
ここで、ユーザーが、外部記憶装置に記憶された再生コンテンツをＢｌｕｅｔｏｏｔｈ（登録商標）やＤＬＮＡ（Ｄｉｇｉｔａｌ  Ｌｉｖｉｎｇ  Ｎｅｔｗｏｒｋ  Ａｌｌｉａｎｃｅ）（登録商標）などの通信方式を用いて、ネットワークスピーカにおいて再生するような場合が想定される。
【０００６】
このような場合、再生コンテンツが再生できるか否かは、典型的には、ネットワークスピーカが再生コンテンツのコンテンツプロトコルに適合しているか否かにより決まる。
【０００７】
本開示は、ネットワークスピーカが再生コンテンツのコンテンツプロトコル適合していない場合にも、当該再生コンテンツを簡単にネットワークスピーカにおいて再生することが可能な情報処理装置および情報処理方法を提供する。
【課題を解決するための手段】
【０００８】
上記の課題を解決するために、本開示の情報処理装置は、オーディオ信号の復号機能を有するスピーカ装置において、外部記憶装置に記憶されたオーディオ信号を再生するための制御を行う情報処理装置であって、再生対象のオーディオ信号の符号化方式を対象符号化方式として検出する検出部と、前記再生対象のオーディオ信号を復号する復号部と、前記対象符号化方式が前記復号部によって復号可能な方式であるか否かと、前記対象符号化方式が前記スピーカ装置によって復号可能な方式であるか否かとを示す復号可否情報が記憶される記憶部と、前記外部記憶装置および前記スピーカ装置と通信を行う通信部と、前記対象符号化方式および前記復号可否情報に基づいて、（１）前記通信部に前記外部記憶装置から前記再生対象のオーディオ信号を取得させて、取得された前記再生対象のオーディオ信号を前記復号部に復号させ、復号された前記再生対象のオーディオ信号を前記通信部から前記スピーカ装置に送信する、第１の制御、および、（２）前記再生対象のオーディオ信号を前記外部記憶装置から前記スピーカ装置へ直接送信させて前記スピーカ装置に復号させる、第２の制御のいずれか一方を選択し、選択した制御を行う制御部とを備える。
【発明の効果】
【０００９】
本開示の情報処理装置によれば、スピーカ装置が再生対象のオーディオ信号のコンテンツプロトコル（符号化方式）に適合していない場合でも、当該再生対象のオーディオ信号を簡単にスピーカ装置において再生することができる。
【図面の簡単な説明】
【００１０】
【図１】図１は、実施の形態１のオーディオ信号再生システムの構成を示す概略図である。
【図２】図２は、実施の形態１のオーディオ信号再生システムの詳細な構成を示すブロック図である。
【図３】図３は、実施の形態１のオーディオ信号リストの一例を示す図である。
【図４】図４は、実施の形態１の復号対応テーブルの一例を示す図である。
【図５】図５は、実施の形態１の通信方式対応テーブルの一例を示す図である。
【図６】図６は、符号化方式と、当該符号化方式で符号化されたオーディオ信号の再生可否を示す図である。
【図７】図７は、実施の形態１のオーディオ信号の再生処理を示すフローチャートである。
【図８】図８は、情報処理装置の表示部に表示される選択画面を示す図である。
【図９】図９は、再生対象のオーディオ信号を再生することができるスピーカ装置を選択する動作のフローチャートである。
【図１０】図１０は、オーディオ信号再生システムの適用例を示す図である。
【発明を実施するための形態】
【００１１】
（本開示の基礎となった知見）
背景技術で説明したように、特許文献１には、携帯端末で再生しているコンテンツを他のコンテンツ再生装置で継続視聴する携帯端末が開示されている。
【００１２】
特許文献１に開示された携帯端末は、所定領域内に存在し、かつ再生コンテンツのコンテンツプロトコルに適合する再生装置を特定し、特定した再生装置に、再生コンテンツのデータを送信する。また、携帯端末は、コンテンツ移行テーブルに基づいて、コンテンツプロトコルに適合した再生装置を特定して、候補として表示する。ユーザーは、再生装置の候補の中から所望の再生装置を選択して、コンテンツの継続視聴を楽しむことができる。
【００１３】
ここで、コンテンツプロトコルとは、再生方法、データ形式、データ圧縮方式および通信プロトコルなどのコンテンツに関する規約である。
【００１４】
再生方法の規約としては、ビットレート情報の規格などがある。コンテンツのデータ形式およびデータ圧縮方式の規約としては、音楽に関するＡＡＣ（Ａｄｖａｎｃｅｄ  Ａｕｄｉｏ  Ｃｏｄｉｎｇ）、ＷＡＶ（ＲＩＦＦ  ｗａｖｅｆｏｒｍ  Ａｕｄｉｏ  Ｆｏｒｍａｔ）、およびＭＰ３（ＭＰＥＧ  Ａｕｄｉｏ  Ｌａｙｅｒ−３）などがある。
【００１５】
通信方式に関する規約（通信プロトコル）としては、Ｂｌｕｅｔｏｏｔｈ（登録商標）、Ｆｅｌｉｃａ（フェリカ：登録商標）、ＰＬＣ（Ｐｏｗｅｒ  Ｌｉｎｅ  Ｃｏｍｍｕｎｉｃａｔｉｏｎ）、Ｗｉｒｅｌｅｓｓ  ＬＡＮ（Ｌｏｃａｌ  Ａｒｅａ  Ｎｅｔｗｏｒｋ）、ＩｒＤＡ（Ｉｎｆｒａｒｅｄ  Ｄａｔａ  Ａｓｓｏｃｉａｔｉｏｎ）、ＩｒＳＳ（Ｉｎｆｒａｒｅｄ  Ｓｉｍｐｌｅ  Ｓｈｏｔ）、およびＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）などがある。
【００１６】
特許文献１において開示されるような構成では、ユーザーの選択の候補となる再生装置は、携帯端末が有するコンテンツプロトコルに適合した再生装置に限定される。また、特許文献１において開示されるような構成は、携帯端末内の再生コンテンツを送信することに限定されており、ネットワークに接続された、パソコンやＮＡＳ内に記憶された再生コンテンツの送信については想定されていない。
【００１７】
また、携帯端末やパソコンやＮＡＳなどの外部記憶装置に再生コンテンツをダウンロードし、携帯端末や外部記憶装置内の再生コンテンツをネットワークスピーカへ送信してネットワークスピーカにおいて再生させる構成が知られている。
【００１８】
しかしながら、このような構成では、ネットワークスピーカが再生コンテンツのコンテンツプロトコル適合していない場合、当該再生コンテンツをネットワークスピーカにおいて再生することは原則的にはできない。
【００１９】
本開示は、ネットワークスピーカが再生コンテンツのコンテンツプロトコル適合していない場合にも、当該再生コンテンツを簡単にネットワークスピーカにおいて再生することが可能な情報処理装置および情報処理方法を提供する。
【００２０】
言い換えれば、本開示は、ユーザーに、ネットワークスピーカのコンテンツプロトコルへの適合性を意識させることなく、再生コンテンツを簡単にネットワークスピーカにおいて再生することがすることが可能な情報処理装置および情報処理方法を提供する。
【００２１】
本開示の一態様に係る情報処理装置は、オーディオ信号の復号機能を有するスピーカ装置において、外部記憶装置に記憶されたオーディオ信号を再生するための制御を行う情報処理装置であって、再生対象のオーディオ信号の符号化方式を対象符号化方式として検出する検出部と、前記再生対象のオーディオ信号を復号する復号部と、前記対象符号化方式が前記復号部によって復号可能な方式であるか否かと、前記対象符号化方式が前記スピーカ装置によって復号可能な方式であるか否かとを示す復号可否情報が記憶される記憶部と、前記外部記憶装置および前記スピーカ装置と通信を行う通信部と、前記対象符号化方式および前記復号可否情報に基づいて、（１）前記通信部に前記外部記憶装置から前記再生対象のオーディオ信号を取得させて、取得された前記再生対象のオーディオ信号を前記復号部に復号させ、復号された前記再生対象のオーディオ信号を前記通信部から前記スピーカ装置に送信する、第１の制御、および、（２）前記再生対象のオーディオ信号を前記外部記憶装置から前記スピーカ装置へ直接送信させて前記スピーカ装置に復号させる、第２の制御のいずれか一方を選択し、選択した制御を行う制御部とを備える。
【００２２】
このような第１の制御によれば、ユーザーが選択したスピーカ装置が復号できないオーディオ信号を、当該スピーカ装置で再生することができる。
【００２３】
さらに、第１の制御によれば、外部記憶装置１０１と、ユーザーが選択したスピーカ装置が直接通信できない場合であっても、ユーザーが選択したスピーカ装置においてオーディオ信号を再生することができる。
【００２４】
さらに、第２の制御によれば、情報処理装置１０４が復号できないオーディオ信号をユーザーが選択したスピーカ装置で再生することができる。
【００２５】
したがって、ユーザーは、再生対象のオーディオ信号の符号化方式がスピーカ装置が復号できる方式であるか否か、およびスピーカ装置が外部記憶装置と通信可能であるか否かを意識することなく、再生対象のオーディオ信号を簡単にスピーカ装置において再生することができる。
【００２６】
具体的には、例えば、前記制御部は、前記対象符号化方式が前記復号部で復号可能な方式であることを前記復号可否情報が示す場合に、前記第１の制御を行い、前記対象符号化方式が前記復号部で復号不可能な方式であり、なおかつ、前記スピーカ装置で復号可能な方式であることを前記復号可否情報が示す場合に、前記第２の制御を行ってもよい。
【００２７】
また、前記制御部は、前記対象符号化方式が、前記復号部で復号可能な方式であり、なおかつ、前記スピーカ装置で復号可能な方式であることを前記復号可否情報が示す場合に、前記第１の制御を行ってもよい。
【００２８】
このように、第１の制御は、第２の制御よりも優先して実行されてもよい。
【００２９】
また、前記制御部は、前記対象符号化方式が、前記復号部で復号可能な方式であり、なおかつ、前記スピーカ装置で復号可能な方式であることを前記復号可否情報が示す場合に、前記第２の制御を行ってもよい。
【００３０】
このように、第２の制御は、第１の制御よりも優先して実行されてもよい。
【００３１】
また、前記通信部は、前記第１の制御において、復号された前記再生対象のオーディオ信号を前記通信部から前記スピーカ装置に送信するための第１の通信方式と、前記第２の制御において、前記再生対象のオーディオ信号を前記外部記憶装置から直接前記スピーカ装置に送信させるための第２の通信方式とを用いて通信可能であり、前記記憶部には、さらに、前記スピーカ装置が前記第１の通信方式で通信可能か否かと、前記スピーカ装置が前記第２の通信方式で通信可能か否かとを示す通信可否情報が記憶され、前記制御部は、前記対象符号化方式、前記復号可否情報、および前記通信可否情報に基づいて、前記第１の制御、および前記第２の制御のいずれか一方を選択し、選択した制御を行ってもよい。
【００３２】
これにより、情報処理装置は、ユーザーが選択したスピーカ装置が所定の通信方式に対応しているか否かをさらに判断した上で、第１の制御および第２の制御を実行することができる。
【００３３】
また、前記制御部は、前記対象符号化方式が前記復号部および前記スピーカ装置の両方で復号可能な方式であり、なおかつ、前記スピーカ装置が前記第１の通信方式および前記第２の通信方式の両方で通信可能であることを前記通信可否情報が示す場合に、前記第１の制御を行ってもよい。
【００３４】
このように、第１の制御は、第２の制御よりも優先して実行されてもよい。
【００３５】
また、前記制御部は、前記対象符号化方式が前記復号部および前記スピーカ装置の両方で復号可能な方式であり、なおかつ、前記スピーカ装置が前記第１の通信方式および前記第２の通信方式の両方で通信可能であることを前記通信可否情報が示す場合に、前記第２の制御を行ってもよい。
【００３６】
このように、第２の制御は、第１の制御よりも優先して実行されてもよい。
【００３７】
また、さらに、ユーザーの前記スピーカ装置の選択を受け付ける入力部と、表示部とを備え、前記スピーカ装置は、前記表示部に表示されたスピーカ装置候補の中から、ユーザーが前記入力部を通じて選択した１つのスピーカ装置であり、前記制御部は、（１）前記対象符号化方式が前記復号部で復号可能な方式であることを前記復号可否情報が示す場合には、前記通信部が通信可能な複数のスピーカ装置の中から、前記第１の通信方式で通信可能なスピーカ装置、または、前記再生対象のオーディオ信号を復号可能なスピーカ装置であって、なおかつ、前記第２の通信方式で通信可能であるスピーカ装置を、前記復号可否情報および前記通信可否情報に基づいて選択し、選択したスピーカ装置を示すアイコンを前記スピーカ装置候補として前記表示部に表示し、（２）前記対象符号化方式が前記復号部で復号不可能な方式であることを前記復号可否情報が示す場合には、前記複数のスピーカ装置の中から、前記再生対象のオーディオ信号を復号可能なスピーカ装置であって、なおかつ、前記第２の通信方式で通信可能であるスピーカ装置を前記復号可否情報および前記通信可否情報に基づいて選択し、選択したスピーカ装置を示すアイコンを前記スピーカ装置候補として前記表示部に表示する制御を行ってもよい。
【００３８】
これにより、ユーザーは、再生対象のオーディオ信号を再生することができるスピーカ装置しか選択できない。したがって、ユーザーが選択したスピーカ装置において再生対象のオーディオ信号が再生されないことがなくなるため、ユーザーは快適に楽曲を楽しむことができる。
【００３９】
また、さらに、前記ユーザーの前記スピーカ装置の選択を受け付ける入力部と、表示部とを備え、前記スピーカ装置は、前記表示部に表示されたスピーカ装置候補の中から、ユーザーが前記入力部を通じて選択した１つのスピーカ装置であり、前記制御部は、前記通信部が通信可能な複数のスピーカ装置を示すアイコンを前記スピーカ装置候補として前記表示部に表示する制御を行ってもよい。
【００４０】
また、前記制御部は、前記再生対象のオーディオ信号が、前記第１の制御により前記スピーカ装置において再生できる場合と、前記第２の制御により前記スピーカ装置において再生できる場合との両方において、前記スピーカ装置を示す同一のアイコンを前記スピーカ装置候補として前記表示部に表示する制御を行ってもよい。
【００４１】
これにより、表示部には、制御方法によらず、１つのスピーカ装置に対しては、１つのアイコンが表示される。したがって、ユーザーは、通信方式を意識することなく、快適に楽曲を楽しむことができる。
【００４２】
また、前記制御部は、前記第１の制御および前記第２の制御のいずれの制御も実行できない場合に、前記再生対象のオーディオ信号が再生できない旨を前記表示部に表示する制御を行ってもよい。
【００４３】
これにより、再生対象のオーディオ信号が再生不可能である旨をユーザーへ伝えることができる。
【００４４】
また、前記第１の通信方式は、Ｂｌｕｅｔｏｏｔｈ（登録商標）を用いた無線通信であり、前記第２の通信方式は、ＤＬＮＡ（Ｄｉｇｉｔａｌ  Ｌｉｖｉｎｇ  Ｎｅｔｗｏｒｋ  Ａｌｌｉａｎｃｅ）（登録商標）を用いた無線通信であってもよい。
【００４５】
また、本開示の一態様に係る制御方法は、オーディオ信号の復号機能を有するスピーカ装置において、外部記憶装置に記憶されたオーディオ信号を再生するために情報処理装置が行う制御方法であって、前記情報処理装置は、前記外部記憶装置および前記スピーカ装置と通信可能であり、前記対象符号化方式が前記情報処理装置によって復号可能な方式であるか否かと、前記対象符号化方式が前記スピーカ装置によって復号可能な方式であるか否かとを示す復号可否情報が記憶される記憶部を備え、前記制御方法は、前記対象符号化方式および前記復号可否情報に基づいて、（１）前記外部記憶装置から前記再生対象のオーディオ信号を取得して、取得した前記再生対象のオーディオ信号を復号し、復号した前記再生対象のオーディオ信号を前記通信部から前記スピーカ装置に送信する、第１の制御、および（２）前記再生対象のオーディオ信号を前記外部記憶装置から前記スピーカ装置へ直接送信させて前記スピーカ装置に復号させる、第２の制御のいずれか一方を選択し、選択した制御を行う。
【００４６】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【００４７】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００４８】
なお、出願人は、当業者が本開示を十分に理解するために添付図面および以下の説明を提供するのであって、これらによって請求の範囲に記載の主題を限定することを意図するものではない。
【００４９】
（実施の形態１）
実施の形態１のオーディオ信号再生システムについて図面を参照しつつ説明する。
【００５０】
［１．オーディオ信号再生システムの構成］
［１−１．全体構成］
図１は、実施の形態１に係るオーディオ信号再生システムの構成を示す概略図である。
【００５１】
図１に示されるように、実施の形態１のオーディオ信号再生システム１００は、オーディオ信号が記憶される外部記憶装置１０１と、オーディオ信号を再生する、第１のスピーカ装置１０２および第２のスピーカ装置１０３と、情報処理装置１０４とで構成される。
【００５２】
実施の形態１では、外部記憶装置１０１は、ＮＡＳであり、第１のスピーカ装置１０２は、ミニコンポである。また、実施の形態１では、第２のスピーカ装置１０３は、オーディオステレオシステムであり、情報処理装置１０４は、スマートフォンである。
【００５３】
しかしながら、これらの装置は、このような具体例に限定されない。例えば、外部記憶装置１０１は、ＮＡＳに限らずオーディオ信号を記録可能で外部との通信機能を有する装置であればよい。また、第１のスピーカ装置１０２、および第２のスピーカ装置１０３は、ミニコンポ、オーディオステレオシステムに限らず、ネットワークスピーカなど、通信機能を有するオーディオ機器であればよい。情報処理装置１０４は、スマートフォンに限らず、外部記憶装置１０１、第１のスピーカ装置１０２、および第２のスピーカ装置１０３を制御することができる機器であれば何でもよい。
【００５４】
図１に示されるように、情報処理装置１０４と第１のスピーカ装置１０２とはＢｌｕｅｔｏｏｔｈで通信可能であり、情報処理装置１０４と第２のスピーカ装置１０３とはＢｌｕｅｔｏｏｔｈで通信可能である。情報処理装置１０４と外部記憶装置１０１とはＤＬＮＡで通信可能であり、外部記憶装置１０１と第１のスピーカ装置１０２とはＤＬＮＡで通信可能である。外部記憶装置１０１と第２のスピーカ装置１０３とは直接通信不可能である。
【００５５】
なお、以下の説明では、Ｂｌｕｅｔｏｏｔｈを第１の通信方式と記載し、ＤＬＮＡを第２の通信方式と記載することがある。
【００５６】
オーディオ信号再生システム１００は、ユーザーが、外部記憶装置１０１に記憶されたオーディオ信号を所望のスピーカ装置で再生するためのシステムである。ユーザーは、情報処理装置１０４を通じて再生対象のオーディオ信号と、これを再生させたいスピーカ装置とを選択する。これにより、ユーザーは、外部記憶装置１０１に記憶されたオーディオ信号を所望のスピーカ装置で再生することができる。
【００５７】
次に、オーディオ信号再生システム１００のより具体的な構成について説明する。
【００５８】
図２は、オーディオ信号再生システム１００の詳細な構成を示すブロック図である。
【００５９】
外部記憶装置１０１は、記憶部２０１と、ＤＬＮＡ通信部２０２とを備える。
【００６０】
記憶部２０１には、複数のオーディオ信号と当該複数のオーディオ信号のリスト（オーディオ信号リスト）が記録されている。記憶部２０１は、例えば、ＨＤＤ（Ｈａｒｄ  Ｄｉｓｃ  Ｄｒｉｖｅ）である。オーディオ信号リストの詳細については、後述する。
【００６１】
ＤＬＮＡ通信部２０２は、外部装置（第１のスピーカ装置１０２および情報処理装置１０４）とＤＬＮＡで通信する通信部である。
【００６２】
第１のスピーカ装置１０２は、ＤＬＮＡ通信部２０３と、復号部２０４と、出音部２０５と、ＢＴ通信部２０６とを備える。
【００６３】
ＤＬＮＡ通信部２０３は、外部記憶装置１０１のＤＬＮＡ通信部２０２と同様に、外部装置（外部記憶装置１０１）とＤＬＮＡで通信する通信部である。
【００６４】
復号部２０４は、ＤＬＮＡ通信部２０３を通じて外部記憶装置１０１から取得したオーディオ信号を復号する。
【００６５】
出音部２０５は、復号部２０４が復号したオーディオ信号を出音する。
【００６６】
ＢＴ通信部２０６は、外部装置（情報処理装置１０４）とＢｌｕｅｔｏｏｔｈで通信する通信部である。
【００６７】
第２のスピーカ装置１０３は、復号部２０７と、出音部２０８と、ＢＴ通信部２０９とを備える。
【００６８】
復号部２０７は、オーディオ信号を復号する。
【００６９】
出音部２０８は、復号部２０７が復号したオーディオ信号を出音する。
【００７０】
ＢＴ通信部２０９は、外部装置（情報処理装置１０４）とＢｌｕｅｔｏｏｔｈで通信する通信部である。
【００７１】
情報処理装置１０４は、ＤＬＮＡ通信部２１０と、制御部２１１と、ＢＴ通信部２１２と、復号部２１３と、入力部２１４と、検出部２１５と、記憶部２１６と、表示部２１７とを備える。
【００７２】
入力部２１４は、ユーザーのスピーカ装置（第１のスピーカ装置１０２および第２のスピーカ装置１０３）の選択を受け付ける。また、入力部２１４は、ユーザーの再生対象のオーディオ信号の選択を受け付ける。ここで再生対象のオーディオ信号とは、外部記憶装置１０１に記憶された複数のオーディオ信号のうちからユーザーによって選択された少なくとも１つのオーディオ信号を意味する。入力部２１４は、具体的には、情報処理装置１０４の表示部２１７に重ね合わされるタッチパネルや、情報処理装置１０４の入力ボタンである。
【００７３】
検出部２１５は、ユーザーが入力部２１４を通じて選択した再生対象のオーディオ信号の符号化方式を対象符号化方式として検出する。なお、ここでの符号化方式とは、上述のコンテンツプロトコルを意味する。
【００７４】
復号部２１３は、ユーザーが入力部２１４を通じて選択した再生対象のオーディオ信号を復号する。
【００７５】
記憶部２１６には、復号対応テーブル（復号可否情報）と、通信方式対応テーブル（通信可否情報）とが記憶される。記憶部２１６は、具体的には、ＦＬＡＳＨメモリや、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などである。復号対応テーブルと、通信方式対応テーブルとの詳細については後述する。
【００７６】
ＤＬＮＡ通信部２１０は、外部装置（外部記憶装置１０１）とＤＬＮＡで通信する通信部である。
【００７７】
ＢＴ通信部２１２は、外部装置（第１のスピーカ装置１０２、および第２のスピーカ装置１０３）とＢｌｕｅｔｏｏｔｈで通信する通信部である。
【００７８】
なお、以下の説明では、ＤＬＮＡ通信部２１０と、ＢＴ通信部２１２とを合わせて通信部２１８と記載することがある。すなわち、通信部２１８は、Ｂｌｕｅｔｏｏｔｈ（第１の通信方式）と、ＤＬＮＡ（第２の通信方式）とを用いて通信可能であり、外部記憶装置１０１、並びに第１のスピーカ装置１０２および第２のスピーカ装置１０３と通信を行う。
【００７９】
制御部２１１は、検出部２１５が検出した対象符号化方式と、復号対応テーブルと、通信方式対応テーブルとに基づいて、第１の制御および第２の制御のいずれか一方を選択し、選択した制御を行う。つまり、制御部２１１は、第１の制御および第２の制御を選択的に実行する。
【００８０】
ここで、第１の制御では、制御部２１１は、まず、通信部２１８（ＤＬＮＡ通信部２１０）に外部記憶装置１０１から再生対象のオーディオ信号を取得させる。続いて、制御部２１１は、通信部２１８が取得した再生対象のオーディオ信号を復号部２１３に復号させる。最後に、制御部２１１は、復号部２１３によって復号された再生対象のオーディオ信号を通信部２１８からユーザーが入力部２１４を通じて選択したスピーカ装置に送信する。
【００８１】
すなわち、第１の制御は、情報処理装置１０４が自ら再生対象のオーディオ信号を復号し、復号後のオーディオ信号をユーザーが選択したスピーカ装置に送信することによって、再生対象のオーディオ信号をユーザーが選択したスピーカ装置で再生する制御である。
【００８２】
一方、第２の制御では、制御部２１１は、まず、再生対象のオーディオ信号を外部記憶装置１０１から直接、ユーザーが選択したスピーカ装置に送信させ当該スピーカ装置に復号させる。
【００８３】
すなわち、第２の制御は、情報処理装置１０４は、再生対象のオーディオ信号を復号することなく、再生対象のオーディオ信号をユーザーが選択したスピーカ装置において復号することによって当該スピーカ装置で再生する制御である。
【００８４】
なお、制御部２１１が、第１の制御を行うか、第２の制御を行うかの判断基準については、後述する。
【００８５】
なお、実施の形態１では、復号部２０４、２０７、および２１３が行う復号とは、符号化方式（コンテンツプロトコル）に応じた復号を意味する。実施の形態１では、通信方式（通信プロトコル）に応じた符号化・復号処理は、ＤＬＮＡ通信部２０２、２０３、および２１０と、ＢＴ通信部２０６、２０９、および２１２とにおいて行われるが、これについての詳細な説明は省略する。
【００８６】
表示部２１７は、液晶ディスプレイや、有機ＥＬ（Ｅｌｅｃｔｒｏ  Ｌｕｍｉｎｅｓｃｅｎｃｅ）ディスプレイなどの表示ディスプレイである。表示部２１７には、ユーザーにオーディオ信号を選択させるための選択画面が表示される。また、表示部２１７には、ユーザーに再生対象のオーディオ信号を再生する、スピーカ装置を選択させるための選択画面が表示される。なお、表示部２１７への選択画面の表示は、制御部２１１が行う。
【００８７】
［１−２．オーディオ信号リスト］
次に、外部記憶装置１０１の記憶部２０１に記録されているオーディオ信号のオーディオ信号リストについて説明する。
【００８８】
図３は、オーディオ信号リストの一例を示す図である。
【００８９】
オーディオ信号リストは、オーディオ信号のファイル名と、オーディオ信号の曲名と、オーディオ信号の符号化方式（コンテンツプロトコル）とで構成される。
【００９０】
具体的には、図３に示されるオーディオ信号リストにおいては、ファイル名「ａｕｄｉｏ１．ｍｐ３」と、曲名「ｓｏｎｇ１」と、符号化方式「ＭＰ３（ＭＰＥＧ  Ａｕｄｉｏ  Ｌａｙｅｒ−３）」とが対応づけられている。同様に、ファイル名「ａｕｄｉｏ２．ｍｐ３」と、曲名「ｓｏｎｇ２」と、符号化方式「ＭＰ３」とが対応付けられ、ファイル名「ａｕｄｉｏ３．ａａｃ」と、曲名「ｓｏｎｇ３」と、符号化方式「ＡＡＣ（Ａｄｖａｎｃｅｄ  Ａｕｄｉｏ  Ｃｏｄｉｎｇ）」とが対応付けられている。また、ファイル名「ａｕｄｉｏ４．ｗａｖ」と、曲名「ｓｏｎｇ４」と、符号化方式「ＷＡＶ（ＲＩＦＦ  ｗａｖｅｆｏｒｍ  Ａｕｄｉｏ  Ｆｏｒｍａｔ）」とが対応付けられ、ファイル名「ａｕｄｉｏ５．ｆｌａｃ」と、曲名「ｓｏｎｇ５」と、符号化方式「ＦＬＡＣ（Ｆｒｅｅ  Ｌｏｓｓｌｅｓｓ  Ａｕｄｉｏ  Ｃｏｄｅｃ）」とが対応付けられている。さらに、ファイル名「ａｕｄｉｏ６．ｏｇｇ」と、曲名「ｓｏｎｇ６」と、符号化方式「Ｏｇｇ」とが対応付けられ、ファイル名「ａｕｄｉｏ７．ｗｍａ」と、曲名「ｓｏｎｇ７」と、符号化方式「ＷＭＡ（Ｗｉｎｄｏｗｓ（登録商標）  Ｍｅｄｉａ  Ａｕｄｉｏ）」とが対応付けられている。
【００９１】
［１−３．復号対応テーブル］
次に、情報処理装置１０４の記憶部２１６に記録されている復号対応テーブルについて説明する。
【００９２】
図４は、復号対応テーブルの一例を示す図である。
【００９３】
復号対応テーブルは、複数の符号化方式のそれぞれについて、当該符号化方式が復号部２１３によって復号可能な方式であるか否かと、当該符号化方式がスピーカ装置（第１のスピーカ装置１０２の復号部２０４および第２のスピーカ装置１０３の復号部２０７）によって復号可能な方式であるか否かとを示す情報である。言い換えれば、復号対応テーブルは、対象符号化方式が復号部２１３によって復号可能な方式であるか否かと、対象符号化方式がスピーカ装置によって復号可能な方式であるか否かとを示す情報である。
【００９４】
図４に示される復号対応テーブル中の○は、情報処理装置１０４、第１のスピーカ装置１０２、および第２のスピーカ装置１０３の各装置が、対応する符号化方式で符号化されたオーディオ信号の復号が可能であることを示している。同様に、復号対応テーブル中の×は、各装置が、対応する符号化方式で符号化されたオーディオ信号の復号が不可能であることを示している。
【００９５】
具体的には、図４に示される復号対応テーブルは、情報処理装置１０４の復号部２１３が、符号化方式ＭＰ３、ＡＡＣ、ＷＡＶで符号化されたオーディオ信号を復号することが可能であることを示している。また、図４に示される復号対応テーブルは、情報処理装置１０４の復号部２１３が、符号化方式ＦＬＡＣ、Ｏｇｇ、ＷＭＡで符号化されたオーディオ信号を復号することが不可能であることを示している。
【００９６】
同様に、図４に示される復号対応テーブルは、第１のスピーカ装置１０２の復号部２０４が、符号化方式ＭＰ３、ＦＬＡＣ、Ｏｇｇ、ＷＭＡで符号化されたオーディオ信号を復号可能であり、符号化方式ＡＡＣ、ＷＡＶで符号化されたオーディオ信号を復号不可能であることを示している。
【００９７】
同様に、図４に示される復号対応テーブルは、第２のスピーカ装置１０３の復号部２０７が、符号化方式ＭＰ３、ＦＬＡＣ、Ｏｇｇ、ＷＭＡで符号化されたオーディオ信号を復号可能であり、符号化方式ＡＡＣ、ＷＡＶで符号化されたオーディオ信号を復号不可能であることを示している。
【００９８】
［１−４．通信方式対応テーブル］
次に、情報処理装置１０４の記憶部２１６に記録されている通信方式対応テーブルについて説明する。
【００９９】
図５は、通信方式対応テーブルの一例を示す図である。
【０１００】
通信方式対応テーブルは、スピーカ装置（第１のスピーカ装置１０２および第２のスピーカ装置１０３）がＢｌｕｅｔｏｏｔｈ（第１の通信方式）で通信可能か否かと、スピーカ装置がＤＬＮＡ（第２の通信方式）で通信可能か否かとを示す情報である。
【０１０１】
図５に示される通信方式対応テーブル中の○は、第１のスピーカ装置１０２および第２のスピーカ装置１０３の各スピーカ装置が、対応する通信方式での通信が可能であることを示している。同様に、通信方式対応テーブル中の×は、各スピーカ装置が、対応する通信方式での通信が不可能であることを示している。
【０１０２】
具体的には、図５に示される通信方式対応テーブルは、第１のスピーカ装置１０２がＢｌｕｅｔｏｏｔｈによる通信とＤＬＮＡによる通信との両方が可能であることを示している。同様に、通信方式対応テーブルは、第２のスピーカ装置１０３がＢｌｕｅｔｏｏｔｈによる通信は可能であるが、ＤＬＮＡによる通信は不可能であることを示している。
【０１０３】
なお、復号対応テーブルおよび通信方式対応テーブルは、例えば、情報処理装置１０４が、外部記憶装置１０１、第１のスピーカ装置１０２、および第２のスピーカ装置１０３と事前に通信を行って機器認証（スピーカ装置の検出）を行う際に、記憶部２１６に記憶される。
【０１０４】
［１−５．制御の判断基準］
次に、制御部２１１が、第１の制御を行うか、第２の制御を行うかの判断基準について説明する。
【０１０５】
第１の制御では、制御部２１１は、再生対象のオーディオ信号を復号部２１３に復号させ、復号された再生対象のオーディオ信号をＢＴ通信部２１２からスピーカ装置（第１のスピーカ装置１０２および第２のスピーカ装置１０３）に送信する必要がある。
【０１０６】
したがって、制御部２１１が第１の制御を行うためには、（１）再生対象のオーディオ信号の符号化方式（対象符号化方式）が、復号部２１３で復号可能な方式であり、なおかつ、（２）ユーザーが選択したスピーカ装置がＢｌｕｅｔｏｏｔｈ（第１の通信方式）で通信可能である必要がある。
【０１０７】
同様に、第２の制御では、制御部２１１は、再生対象のオーディオ信号を外部記憶装置１０１に直接スピーカ装置へ送信させてスピーカ装置に復号させる。
【０１０８】
したがって、制御部２１１が第２の制御を行うためには、（１）再生対象のオーディオ信号の符号化方式（対象符号化方式）が、ユーザーが選択したスピーカ装置で復号可能な方式であり、なおかつ、（２）ユーザーが選択したスピーカ装置がＤＬＮＡ（第２の通信方式）で通信可能である必要がある。
【０１０９】
制御部２１１は、対象符号化方式と、復号可否情報と、通信可否情報とに基づいて、第１の制御または第２の制御の少なくとも一方の制御が実行可能な場合は、再生対象のオーディオ信号を、ユーザーが選択したスピーカ装置で再生することができる。
【０１１０】
符号化方式と、当該符号化方式で符号化されたオーディオ信号の再生可否をまとめた表を図６に示す。
【０１１１】
図６は、符号化方式と、当該符号化方式で符号化されたオーディオ信号の再生可否を示す図である。なお、図６において、○は、再生可能を示し、×は、再生不可能を示す。
【０１１２】
オーディオ信号再生システム１００では、第１のスピーカ装置１０２では、図６に示される全ての符号化方式で符号化されたオーディオ信号が再生可能である。一方、第１のスピーカ装置１０２では、ＦＬＡＣ、Ｏｇｇ、およびＷＭＡの符号化方式で符号化されたオーディオ信号については、再生不可能である。
【０１１３】
なお、ＤＬＮＡでは、サーバ（ＤＭＳ：Ｄｉｇｉｔａｌ  Ｍｅｄｉａ  Ｓｅｒｖｅｒ）、クライアント（ＤＭＰ：Ｄｉｇｉｔａｌ  Ｍｅｄｉａ  Ｐｌａｙｅｒ、または、ＤＭＲ：Ｄｉｇｉｔａｌ  Ｍｅｄｉａ  Ｒｅｎｄｅｒｅｒ）、コントローラ（ＤＭＣ：Ｄｉｇｉｔａｌ  Ｍｅｄｉａ  Ｃｏｎｔｒｏｌｌｅｒ）といった、デバイスクラスが各装置に設定される。つまり、各装置には、デバイスクラスに応じた機能が割り当てられている。
【０１１４】
具体的には、サーバ（ＤＭＳ）は、コンテンツ（オーディオ信号）をクライアント（ＤＭＰおよびＤＭＲ）に配信する機能を有し、クライアント（ＤＭＰ）は、サーバ内のコンテンツを検索して、再生する機能を有し、クライアント（ＤＭＲ）は、コンテンツの再生機能だけを有する。
【０１１５】
コントローラ（ＤＭＣ）は、サーバ（ＤＭＳ）とクライアント（ＤＭＰおよびＤＭＲ）をコントロールする機能を有し、サーバ（ＤＭＳ）にコンテンツの再生を指示して、クライアント（ＤＭＰおよびＤＭＲ）で再生させることができる。
【０１１６】
実施の形態１では、外部記憶装置１０１は、ＤＭＳ、第１のスピーカ装置１０２は、ＤＭＲ、情報処理装置１０４は、ＤＭＣに設定されている。したがって、制御部２１１は、ユーザーが第１のスピーカ装置１０２を選択した場合は、第２の制御をなし得る。
【０１１７】
なお、第２の制御は、ＤＬＮＡ以外の通信方式であっても、同様の制御が可能な通信方式であれば実行可能である。
【０１１８】
［２．オーディオ信号再生システムの動作］
［２−１．第１の選択例］
次に、オーディオ信号再生システム１００の動作について、図７および図８を用いて説明する。
【０１１９】
図７は、オーディオ信号再生システムの動作のフローチャートである。
【０１２０】
図８は、情報処理装置１０４の表示部２１７に表示される選択画面を示す図である。
【０１２１】
以下では、ユーザーが選択するオーディオ信号およびスピーカ装置が異なる４つの選択例について説明する。はじめに、第１の選択例について説明する。
【０１２２】
入力部２１４は、再生対象のオーディオ信号と、これを再生するスピーカ装置との選択を受け付ける（Ｓ７０１）。
【０１２３】
このとき、制御部２１１は、まず、ＤＬＮＡ通信部２１０によって外部記憶装置１０１と通信を行い、図３に示されるオーディオ信号リストを取得する。そして、制御部２１１は、オーディオ信号リストに基づいて、楽曲選択画面を表示部２１７に表示する。
【０１２４】
楽曲選択画面は、例えば、図８の（ａ）に示されるような画面である。ユーザーは、表示部２１７に表示された曲名にタッチすることで、再生対象のオーディオ信号を選択する。ここでは、第１の選択例として、ユーザーは、「ｓｏｎｇ３」を選択するものとする。
【０１２５】
入力部２１４がユーザーの再生対象のオーディオ信号の選択を受け付けた場合、制御部２１１は、スピーカ装置選択画面を表示部２１７に表示する。具体的には、制御部２１１は、通信部２１８（ＤＬＮＡ通信部２１０およびＢＴ通信部２１２）が通信可能な複数のスピーカ装置を示すアイコンを表示部２１７に表示する。
【０１２６】
スピーカ装置選択画面は、例えば、図８の（ｂ）に示されるような画面である。図８の（ｂ）に示されるように、スピーカ装置選択画面では、第１のスピーカ装置１０２を示すアイコン３０１と、第２のスピーカ装置１０３を示すアイコン３０２とが表示部２１７に表示される。なお、以下の説明では、アイコン３０１および３０２のそれぞれをスピーカ装置候補とも記載する。
【０１２７】
ユーザーは、表示部２１７に表示されたアイコンにタッチすることで、スピーカ装置候補の中からスピーカ装置を選択する。ここでは、ユーザーは、「第１のスピーカ装置」を選択するものとする。
【０１２８】
次に、検出部２１５は、オーディオ信号リストに基づいて再生対象のオーディオ信号の符号化方式を対象符号化方式として検出する（Ｓ７０２）。ステップＳ７０１では、ユーザーは、「ｓｏｎｇ３」を選択しているため、検出部２１５は、「ＡＡＣ」を対象符号化方式として検出する。
【０１２９】
なお、制御部２１１は、ステップＳ７０１では、オーディオ信号の曲名だけをＤＬＮＡ通信部２１０を通じて取得し、ステップＳ７０２において、ＤＬＮＡ通信部２０２を通じてオーディオ信号リストを取得してもよい。
【０１３０】
次に、制御部２１１は、記憶部２１６に記憶されている復号対応テーブルを参照し、情報処理装置１０４の復号部２１３が「ＡＡＣ」で符号化されたオーディオ信号を復号可能かどうかを判断する（Ｓ７０３）。
【０１３１】
図４の復号対応テーブルによれば、情報処理装置１０４（復号部２１３）は、「ＡＡＣ」で符号化されたオーディオ信号を復号可能である（Ｓ７０３でＹｅｓ）。
【０１３２】
続いて、制御部２１１は、記憶部２１６に記憶されている通信方式対応テーブルを参照し、情報処理装置１０４とユーザーが選択したスピーカ装置（第１のスピーカ装置１０２）とが第１の通信方式（Ｂｌｕｅｔｏｏｔｈ）によって通信可能かどうかを判断する（Ｓ７０４）。
【０１３３】
図５の通信方式対応テーブルによれば、第１のスピーカ装置１０２は、情報処理装置１０４とＢｌｕｅｔｏｏｔｈによる通信が可能である（Ｓ７０４でＹｅｓ）。なお、ユーザーが選択したスピーカ装置が第１の通信方式によって通信不可能な場合には（Ｓ７０４でＮｏ）、ステップＳ７０７動作が行われる。ステップＳ７０７の動作については、別の選択例で説明する。
【０１３４】
続いて、復号部２１３は、再生対象のオーディオ信号を復号する（Ｓ７０５）。具体的には、制御部２１１は、ＤＬＮＡ通信部２１０をＤＬＮＡ通信部２０２と通信させ、記憶部２０１に記憶されている「ｓｏｎｇ３」に対応するオーディオ信号のファイルである「ａｕｄｉｏ３．ａａｃ」を外部記憶装置１０１から取得する。言い換えれば、制御部２１１は、ＤＬＮＡ通信部２１０に、外部記憶装置１０１から再生対象のオーディオ信号を取得させる。
【０１３５】
そして、制御部２１１は、取得した「ａｕｄｉｏ３．ａａｃ」のファイルを情報処理装置１０４の復号部２１３で復号する。言い換えれば、制御部２１１は、取得された再生対象のオーディオ信号を復号部２１３に復号させる。
【０１３６】
最後に、制御部２１１は、ＢＴ通信部２１２をＢＴ通信部２０６と通信させ、復号部２１３が復号した再生対象のオーディオ信号を第１のスピーカ装置１０２に送信する。そして、第１のスピーカ装置１０２は、受信した復号済みの再生対象のオーディオ信号を出音部２０５から出力し再生する（Ｓ７０６）。
【０１３７】
以上説明した第１の選択例では、制御部２１１は、情報処理装置１０４が自ら再生対象のオーディオ信号を復号し、復号後のオーディオ信号をユーザーが選択したスピーカ装置に送信する、第１の制御を行う。第１の制御によれば、ユーザーが選択したスピーカ装置が復号できないオーディオ信号を、当該スピーカ装置で再生することができる。なぜなら、情報処理装置１０４がスピーカ装置の代わりにオーディオ信号を復号し、復号後のオーディオ信号をスピーカ装置へ送信するからである。
【０１３８】
［２−２．第２の選択例］
次に、第２の選択例について説明する。以下の第２の選択例では、ユーザーは、再生対象のオーディオ信号として、「ｓｏｎｇ５」を、スピーカ装置として「第１のスピーカ装置」を選択するものとする。
【０１３９】
まず、入力部２１４は、「ｓｏｎｇ５」の選択と、「第１のスピーカ装置」の選択とを受け付ける（Ｓ７０１）。
【０１４０】
検出部２１５は、オーディオ信号リストに基づいて「ｓｏｎｇ５」に対応する符号化方式である「ＦＬＡＣ」を対象符号化方式として検出する（Ｓ７０２）。
【０１４１】
図４の復号対応テーブルによれば、情報処理装置１０４は「ＦＬＡＣ」で符号化されたオーディオ信号を復号不可能である。したがって、制御部２１１は、復号部２１３が「ＦＬＡＣ」で符号化されたオーディオ信号を復号不可能と判断する（Ｓ７０３でＮｏ）。
【０１４２】
次に、制御部２１１は、記憶部２１６に記憶されている復号対応テーブルを参照し、第１のスピーカ装置１０２の復号部２０４が「ＦＬＡＣ」で符号化されたオーディオ信号を復号可能かどうかを判断する（Ｓ７０７）。図４の復号対応テーブルによれば、第１のスピーカ装置１０２（復号部２０４）は「ＦＬＡＣ」で符号化されたオーディオ信号を復号可能である（Ｓ７０７でＹｅｓ）。
【０１４３】
次に、制御部２１１は、記憶部２１６に記憶されている通信方式対応テーブルを参照し、外部記憶装置１０１とユーザーが選択したスピーカ装置（第１のスピーカ装置１０２）とが第２の通信方式（ＤＬＮＡ）によって通信可能かどうかを判断する（Ｓ７０８）。
【０１４４】
図５の通信方式対応テーブルによれば、第１のスピーカ装置１０２は、外部記憶装置１０１とＤＬＮＡによる通信が可能である（Ｓ７０８でＹｅｓ）。
【０１４５】
続いて、制御部２１１は、ＤＬＮＡ通信部２１０をＤＬＮＡ通信部２０２と通信させ、記憶部２０１に記憶されている「ｓｏｎｇ５」に対応するオーディオ信号のファイルである「ａｕｄｉｏ５．ｆｌａｃ」を外部記憶装置１０１から第１のスピーカ装置１０２に直接送信させる制御を行う。第１のスピーカ装置１０２は、ＤＬＮＡ通信部２０３を通じて取得した「ａｕｄｉｏ５．ｆｌａｃ」を復号部２０４で復号し、出音部２０５から出力し再生する（Ｓ７１０）。言い換えれば、制御部２１１は、再生対象のオーディオ信号を外部記憶装置１０１に直接第１のスピーカ装置１０２へ送信させて、第１のスピーカ装置１０２に復号させる。
【０１４６】
以上説明した第２の選択例では、制御部２１１は、再生対象のオーディオ信号を復号することなく、再生対象のオーディオ信号をユーザーが選択したスピーカ装置において復号することによって当該スピーカ装置で再生する、第２の制御を行う。
【０１４７】
第２の制御によれば、情報処理装置１０４が復号できないオーディオ信号をユーザーが選択したスピーカ装置で再生することができる。
【０１４８】
［２−３．第３の選択例］
次に、第３の選択例について説明する。以下の第２の選択例では、ユーザーは、再生対象のオーディオ信号として、「ｓｏｎｇ１」を、スピーカ装置として「第２のスピーカ装置」を選択するものとする。
【０１４９】
まず、入力部２１４は、「ｓｏｎｇ１」の選択と、「第２のスピーカ装置」の選択とを受け付ける（Ｓ７０１）。
【０１５０】
検出部２１５は、オーディオ信号リストに基づいて「ｓｏｎｇ１」に対応する符号化方式である「ＭＰ３」を対象符号化方式として検出する（Ｓ７０２）。
【０１５１】
図４の復号対応テーブルの例では、情報処理装置１０４は「ＭＰ３」で符号化されたオーディオ信号を復号可能である。したがって、制御部２１１は、復号部２１３が「ＭＰ３」で符号化されたオーディオ信号を復号可能と判断する（Ｓ７０３でＹｅｓ）。
【０１５２】
次に、制御部２１１は、記憶部２１６に記憶されている通信方式対応テーブルを参照し、情報処理装置１０４とユーザーが選択したスピーカ装置とが第１の通信方式によって通信可能かどうかを判断する（Ｓ７０４）。
【０１５３】
図５の通信方式対応テーブルによれば、第２のスピーカ装置１０３は、情報処理装置１０４とＢｌｕｅｔｏｏｔｈによる通信が可能である（Ｓ７０４でＹｅｓ）。
【０１５４】
続いて、復号部２１３は、再生対象のオーディオ信号を復号する（Ｓ７０５）。具体的には、制御部２１１は、ＤＬＮＡ通信部２１０をＤＬＮＡ通信部２０２と通信させ、記憶部２０１に記憶されている「ｓｏｎｇ１」に対応するオーディオ信号のファイルである「ａｕｄｉｏ１．ｍｐ３」を外部記憶装置１０１から取得する。そして、制御部２１１は、取得した「ａｕｄｉｏ１．ｍｐ３」のファイルを情報処理装置１０４の復号部２１３で復号する。
【０１５５】
最後に、制御部２１１は、ＢＴ通信部２１２をＢＴ通信部２０９と通信させ、復号部２１３が復号した再生対象のオーディオ信号を第２のスピーカ装置１０３に送信する。そして、第２のスピーカ装置１０３は、受信した復号済みの再生対象のオーディオ信号を出音部２０８から出力し再生する（Ｓ７０６）。
【０１５６】
以上説明した第３の選択例では、外部記憶装置１０１と、ユーザーが選択したスピーカ装置が直接通信できない場合であっても、ユーザーが選択したスピーカ装置においてオーディオ信号を再生することができる。なぜなら、情報処理装置１０４が外部記憶装置１０１からオーディオ信号を取得し、さらに復号して、復号後のオーディオ信号をスピーカ装置に送信するからである。
【０１５７】
［２−４．第４の選択例］
次に、第４の選択例について説明する。以下の第４の選択例では、ユーザーは、再生対象のオーディオ信号として、「ｓｏｎｇ６」を、スピーカ装置として「第２のスピーカ装置」を選択するものとする。
【０１５８】
まず、入力部２１４は、「ｓｏｎｇ６」の選択と、「第２のスピーカ装置」の選択とを受け付ける（Ｓ７０１）。
【０１５９】
検出部２１５は、オーディオ信号リストに基づいて「ｓｏｎｇ６」に対応する符号化方式である「Ｏｇｇ」を対象符号化方式として検出する（Ｓ７０２）。
【０１６０】
図４の復号対応テーブルによれば、情報処理装置１０４は「Ｏｇｇ」で符号化されたオーディオ信号を復号不可能である。したがって、制御部２１１は、復号部２１３が「Ｏｇｇ」で符号化されたオーディオ信号を復号不可能と判断する（Ｓ７０３でＮｏ）。
【０１６１】
次に、制御部２１１は、記憶部２１６に記憶されている復号対応テーブルを参照し、第２のスピーカ装置１０３の復号部２０７が「Ｏｇｇ」で符号化されたオーディオ信号を復号可能かどうかを判断する（Ｓ７０７）。図４の復号対応テーブルによれば、第２のスピーカ装置１０３（復号部２０７）は、「Ｏｇｇ」で符号化されたオーディオ信号を復号可能である（Ｓ７０７でＹｅｓ）。
【０１６２】
次に、制御部２１１は、記憶部２１６に記憶されている通信方式対応テーブルを参照し、外部記憶装置１０１とユーザーが選択したスピーカ装置（第２のスピーカ装置１０３）とが第２の通信方式（ＤＬＮＡ）によって通信可能かどうかを判断する（Ｓ７０８）。
【０１６３】
図５の通信方式対応テーブルによれば、第２のスピーカ装置１０３は、外部記憶装置１０１とＤＬＮＡによる通信が不可能である（Ｓ７０８でＮｏ）。
【０１６４】
最後に、制御部２１１は、表示部２１７に「ｓｏｎｇ６」が「第２のスピーカ装置」において再生できない旨のメッセージを表示する制御（第３の制御）を行う（Ｓ７０９）。なお、このメッセージは、ステップＳ７０７において、ユーザーが選択したスピーカ装置が再生対象のオーディオ信号を復号できない場合（Ｓ７０７でＮｏ）も、表示される。
【０１６５】
以上説明した第４の選択例では、情報処理装置１０４は、第１の制御および第２の制御のいずれの制御も実行できないため、ユーザーが選択したスピーカ装置で再生対象のオーディオ信号を再生することができない。このような場合は、情報処理装置１０４は、表示部２１７にメッセージを表示することにより、オーディオ信号が再生不可能である旨をユーザーへ伝えることができる。
【０１６６】
［３．効果等］
以上のように、実施の形態１に係るオーディオ信号再生システム１００（情報処理装置１０４）によれば、ユーザーは、再生対象のオーディオ信号の符号化方式がスピーカ装置が復号できる方式であるか否か、およびスピーカ装置が外部記憶装置と通信可能であるか否かを意識することなく、再生対象のオーディオ信号を簡単にスピーカ装置において再生することができる。
【０１６７】
さらに、オーディオ信号再生システム１００（情報処理装置１０４）によれば、ユーザーは、再生対象のオーディオ信号を復号する装置を選択する必要はない、同様に、ユーザーは、外部記憶装置、情報処理装置、およびスピーカ装置のそれぞれの間の通信方式を選択する必要もない。
【０１６８】
（他の実施の形態）
実施の形態１の説明は、実装の一例として説明した。しかしこれに限定されず、適宜、変更、書き換え、付加、省略などを行った実施の形態にも適用可能である。また、実施の形態１で説明した各構成要素を組み合わせて、新たな実施の形態とすることも可能である。
【０１６９】
そこで、他の実施の形態についてまとめて説明する。
【０１７０】
実施の形態１では、情報処理装置１０４が復号可能な符号化方式を判断するステップ（図７のステップＳ７０３）と、ユーザーが選択したスピーカ装置が復号可能な符号化方式の符号化方式を判断するステップ（図７のステップＳ７０７）とがそれぞれ別個に設けられたが、情報処理装置１０４が復号可能な符号化方式とユーザーが選択したスピーカ装置が復号可能な符号化方式とが同じであれば、これらの判断は、１つのステップにおいて行われてもよい。
【０１７１】
実施の形態１では、外部記憶装置１０１とユーザーが選択したスピーカ装置との通信（第２の通信方式（ＤＬＮＡ）による通信）が可能かどうかを確認するステップ（図７のステップＳ７０８）が設けられた。しかしながら、ネットワーク上の全てのスピーカ装置が外部記憶装置１０１と通信可能である場合は、このようなステップは、省いてもかまわない。
【０１７２】
同様に、情報処理装置１０４とユーザーが選択したスピーカ装置との通信（第１の通信方式（Ｂｌｕｅｔｏｏｔｈ）による通信）が可能かどうかを確認するステップ（図７のステップＳ７０８）についても、省略可能である。
【０１７３】
すなわち、制御部２１１は、少なくとも、対象符号化方式と、復号可否情報（復号対応テーブル）とに基づいて、第１の制御、または、第２の制御を行えばよく、通信可否情報（通信対応テーブル）は、必須でない。
【０１７４】
実施の形態１で説明した、制御部２１１、復号部２１３（復号部２０４および２０７）、検出部２１５は、プログラム可能なマイクロコンピュータで実現可能である。また、制御部２１１、復号部２１３、検出部２１５は、ハードロジックで実現されてもよく、物理的にどのように構成されてもよい。
【０１７５】
すなわち、実施の形態１において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１７６】
また、実施の形態１では、オーディオ信号は、曲単位で選択されたが、ユーザーが再生したい曲をリスト化したプレイリストを選択するようにしてもよい。
【０１７７】
この場合、第１の制御により、選択されたプレイリスト中の１つのオーディオ信号が再生されているときに、次のオーディオ信号に対して第１の制御が実行できない場合、制御部２１１は、第２の制御を実行することで、次のオーディオ信号をシームレスに再生することが可能である。
【０１７８】
つまり、情報処理装置１０４によれば、プレイリストの再生中にオーディオ信号の符号化方式が変わっても、継続してスピーカ装置から出音することができる。
【０１７９】
さらに、プレイリストによって曲が連続再生される場合でなく、ユーザーが直接次のオーディオ信号を選択した場合も、制御部２１１は、第１の制御および第２の制御を切り替えて実行することで、次のオーディオ信号をシームレスに再生することが可能である。
【０１８０】
また、実施の形態１では、各スピーカ装置が対応している通信方式は、記憶部２１６に記憶されている通信方式対応テーブルを用いて判断されたが、情報処理装置１０４が各通信方式を用いてスピーカ装置を検索（検出）してもよい。
【０１８１】
例えば、実施の形態１のような場合、情報処理装置１０４のＢＴ通信部２１２がＢｌｕｅｔｏｏｔｈによる通信が可能なスピーカ装置を検索することにより、第１のスピーカ装置１０２と第２のスピーカ装置１０３とが検出される。よって、制御部２１１は、通信方式対応テーブルを用いなくても、第１のスピーカ装置１０２および第２のスピーカ装置１０３が、Ｂｌｕｅｔｏｏｔｈによる通信が可能であると判断できる。
【０１８２】
同様に、情報処理装置１０４のＤＬＮＡ通信部２１０がＤＬＮＡによる通信が可能なスピーカ装置を検索することにより、制御部２１１は、第１のスピーカ装置１０２がＤＬＮＡによる通信可能であることがわかる。
【０１８３】
また、第１のスピーカ装置１０２は、第１の通信方式で通信可能であり、なおかつ、第２の通信方式で通信可能であるため、データ処理上は、２つのスピーカ装置として区別して識別される。つまり、データ処理上は、第１の通信方式で通信可能な第１のスピーカ装置１０２と第２の通信方式で通信可能な第１のスピーカ装置１０２とは、２つのスピーカ装置として取り扱われる。
【０１８４】
ここで、制御部２１１は、再生対象のオーディオ信号が、第１の制御により第１のスピーカ装置１０２において再生できる場合と、第２の制御により第１のスピーカ装置１０２において再生できる場合との両方において、第１のスピーカ装置１０２を示す同一のアイコンをスピーカ装置候補として表示部２１７に表示する制御を行ってもよい。
【０１８５】
これにより、図８の（ｂ）に示されるように、表示部２１７には、第１のスピーカ装置１０２を示す１つアイコン３０１のみが表示される。したがって、ユーザーは、通信方式を意識することなく、快適に楽曲を楽しむことができる。
【０１８６】
また、本実施の形態１では、符号化方式として、ＭＰ３、ＡＡＣ、ＷＡＶ、ＦＬＡＣ、Ｏｇｇ、およびＷＭＡが用いられる例について説明したが、他の符号化方式が用いられてもよい。
【０１８７】
また、実施の形態１では、通信方式として、ＢｌｕｅｔｏｏｔｈとＤＬＮＡとが用いられる例について説明したが、ＡｉｒＰｌａｙ（Ａｐｐｌｅ社の独自ストリーミング技術）（登録商標）など他の無線通信方式が用いられてもよい。
【０１８８】
実施の形態１では、検出部２１５は、復号対応テーブルに基づいて符号化方式を検出したが、検出部２１５は、ファイル名の拡張子やファイル内データから符号化方式を検出してもよい。
【０１８９】
実施の形態１のオーディオ信号再生システム１００の動作（図７）のステップＳ７０１では、制御部２１１は、ユーザーにスピーカ装置を選択させるために、通信部２１８が通信可能な全てのスピーカ装置を示すアイコンをスピーカ装置候補として表示部２１７に表示した。
【０１９０】
しかしながら、ステップＳ７０１では、再生対象のオーディオ信号を再生することができるスピーカ装置を示すアイコンのみがスピーカ装置候補として表示部２１７に表示されてもよい。
【０１９１】
図９は、再生対象のオーディオ信号を再生することができるスピーカ装置を選択する動作のフローチャートである。
【０１９２】
なお、図９に示されるフローチャートの動作は、図７に示されるフローチャートのステップＳ７０１における処理の一部として実行される。具体的には、入力部２１４がオーディオ信号の選択を受け付けた後、スピーカ装置の選択を受け付ける前に行われる。
【０１９３】
また、図９に示されるフローチャートの動作は、情報処理装置１０４が通信可能な全てのスピーカ装置それぞれに対して行われるものとする。
【０１９４】
まず、入力部２１４がオーディオ信号の選択を受け付けた後、検出部２１５は、再生対象のオーディオ信号の符号化方式を対象符号化方式として検出する（Ｓ９０１）。
【０１９５】
次に、制御部２１１は、記憶部２１６に記憶されている復号対応テーブルを参照し、情報処理装置１０４の復号部２１３が対象符号化方式で符号化されたオーディオ信号を復号可能であるか否かを判断する（Ｓ９０２）。
【０１９６】
対象符号化方式が、情報処理装置１０４の復号部２１３で復号可能な方式である場合、（Ｓ９０２でＹｅｓ）制御部２１１は、スピーカ装置が第１の通信方式で通信可能であるか否かを判断する（Ｓ９０３）。
【０１９７】
スピーカ装置が第１の通信方式で通信可能な場合（Ｓ９０３でＹｅｓ）、スピーカ装置は、対象スピーカ装置として選択される（Ｓ９０６）。
【０１９８】
スピーカ装置が第１の通信方式で通信不可能な場合（Ｓ９０３でＮｏ）、制御部２１１は、スピーカ装置が再生対象のオーディオ信号を復号可能か否かを判断する（Ｓ９０４）。スピーカ装置が再生対象のオーディオ信号を復号不可能な場合（Ｓ９０４でＮｏ）、当該スピーカ装置は、対象スピーカ装置候補として選択されない。
【０１９９】
スピーカ装置が再生対象のオーディオ信号を復号可能な場合（Ｓ９０４でＹｅｓ）、制御部２１１は、スピーカ装置が第２の通信方式で通信可能であるか否かを判断する（Ｓ９０５）。スピーカ装置が第２の通信方式で通信不可能である場合（Ｓ９０５でＮｏ）、当該スピーカ装置は、対象スピーカ装置として選択されない。
【０２００】
対象スピーカ装置が第２の通信方式で通信可能である場合（Ｓ９０５でＹｅｓ）、制御部２１１は、スピーカ装置を対象スピーカ装置として選択する（Ｓ９０６）。
【０２０１】
制御部２１１は、情報処理装置１０４が通信可能な全てのスピーカ装置に対して図９のフローチャートに示される選択を行った後、選択した全ての対象スピーカを示すアイコンをスピーカ装置候補として表示部２１７に表示する。
【０２０２】
例えば、再生対象のオーディオ信号が、ＦＬＡＣで符号化されている場合、再生対象のオーディオ信号は、第１のスピーカ装置１０２で再生することは可能であるが、第２のスピーカ装置１０３では再生できない。したがって、図８の（ｃ）に示されるように、制御部２１１は、第１のスピーカ装置１０２を示すアイコン３０１のみを表示部２１７に表示する。
【０２０３】
そして、入力部２１４は、スピーカ装置（スピーカ装置候補）の選択を受け付ける。その後、図７のフローチャートのステップＳ７０２以降の動作が行われる。
【０２０４】
これにより、ユーザーが選択したスピーカ装置において再生対象のオーディオ信号が再生されないことがなくなるため、ユーザーは快適に楽曲を楽しむことができる。
【０２０５】
また、図７のフローチャートでは、第１の制御が可能であるかの判断が先に行われ、その後、第２の制御が可能であるかの判断が行われた。具体的には、実施の形態１では、制御部２１１は、まず、対象符号化方式が復号部２１３で復号可能な方式であることを復号可否情報が示し、なおかつ、ユーザーが選択したスピーカ装置が第１の通信方式で通信可能であることを通信可否情報が示す第１のケースに該当するか否かを判断する。そして、制御部２１１は、第１のケースに該当する場合には、第１の制御を行う。第１のケースに該当しない場合は、制御部２１１は、対象符号化方式がユーザーが選択したスピーカ装置で復号可能であることを復号可否情報が示し、なおかつ、ユーザーが選択したスピーカ装置が第２の通信方式で通信可能であることを通信可否情報が示す第２のケースに該当するか否かを判断する。そして、制御部２１１は、第２のケースに該当する場合には、第２の制御を行う。
【０２０６】
しかしながら、第２の制御が可能であるかの判断が先に行われ、その後、第１の制御が可能であるかの判断が行われてもよい。すなわち、制御部２１１は、まず、第２のケースに該当するか否かを判断し、該当する場合には第２の制御を行い、第２のケースに該当しない場合は、第１のケースに該当するか否かを判断し、該当する場合には第１の制御を行ってもよい。
【０２０７】
また、制御部２１１は、第１の制御および第２の制御の両方が可能であると判断される場合には、どちらの制御を優先して行ってもよい。
【０２０８】
なお、本開示のオーディオ信号再生システム１００は、例えば、図１０に示されるように、家庭内の無線ルータ４００によってネットワーク接続された複数の機器により構成される。
【０２０９】
例えば、図１０に示されるＰＣ４０１を外部記憶装置として使用し、タブレット端末４０２を情報処理装置として使用することができる。この場合、ユーザーは、タブレット端末４０２を使って、家庭内の様々な場所に設置された、ミニコンポ４０３、並びにネットワークスピーカ４０４、４０５、４０６、および４０７において、ＰＣ４０１に記憶されたオーディオ信号を簡単に再生することが可能となる。
【０２１０】
以上のように、添付図面および詳細な説明によって、出願人がベストモードと考える実施の形態と他の実施の形態とを提供した。これらは、特定の実施の形態を参照することにより、当業者に対して、請求の範囲に記載の主題を例証するために提供されるものである。
【０２１１】
したがって、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、請求の範囲またはその均等の範囲において、上述の実施の形態に対して、種々の変更、置き換え、付加、省略などを行うことができる。
【産業上の利用可能性】
【０２１２】
本開示は、装置間において無線通信を用いるオーディオ信号再生システム等に有効に利用することができる。
【符号の説明】
【０２１３】
１００  オーディオ信号再生システム
１０１  外部記憶装置
１０２  第１のスピーカ装置
１０３  第２のスピーカ装置
１０４  情報処理装置
２０１、２１６  記憶部
２０２、２０３、２１０  ＤＬＮＡ通信部
２０４、２０７、２１３  復号部
２０５、２０８  出音部
２０６、２０９、２１２  ＢＴ通信部
２１１  制御部
２１４  入力部
２１５  検出部
２１７  表示部
２１８  通信部
３０１、３０２  アイコン
４００  無線ルータ
４０１  ＰＣ
４０２  タブレット端末
４０３  ミニコンポ
４０４〜４０７  ネットワークスピーカ
【手続補正２】
【補正対象書類名】特許請求の範囲
【補正対象項目名】全文
【補正方法】変更
【補正の内容】
【特許請求の範囲】
【請求項１】
オーディオ信号の復号機能を有するスピーカ装置において、外部記憶装置に記憶されたオーディオ信号を再生するための制御を行う情報処理装置であって、
再生対象のオーディオ信号の符号化方式を対象符号化方式として検出する検出部と、
前記再生対象のオーディオ信号を復号する復号部と、
前記対象符号化方式が前記復号部によって復号可能な方式であるか否かと、前記対象符号化方式が前記スピーカ装置によって復号可能な方式であるか否かとを示す復号可否情報が記憶される記憶部と、
前記外部記憶装置および前記スピーカ装置と通信を行う通信部と、
前記対象符号化方式および前記復号可否情報に基づいて、（１）前記通信部に前記外部記憶装置から前記再生対象のオーディオ信号を取得させて、取得された前記再生対象のオーディオ信号を前記復号部に復号させ、復号された前記再生対象のオーディオ信号を前記通信部から前記スピーカ装置に送信する、第１の制御、および、（２）前記再生対象のオーディオ信号を前記外部記憶装置から前記スピーカ装置へ直接送信させて前記スピーカ装置に復号させる、第２の制御のいずれか一方を選択し、選択した制御を行う制御部とを備える
情報処理装置。
【請求項２】
前記制御部は、
前記対象符号化方式が前記復号部で復号可能な方式であることを前記復号可否情報が示す場合に、前記第１の制御を行い、
前記対象符号化方式が前記復号部で復号不可能な方式であり、なおかつ、前記スピーカ装置で復号可能な方式であることを前記復号可否情報が示す場合に、前記第２の制御を行う
請求項１に記載の情報処理装置。
【請求項３】
前記制御部は、前記対象符号化方式が、前記復号部で復号可能な方式であり、なおかつ、前記スピーカ装置で復号可能な方式であることを前記復号可否情報が示す場合に、前記第１の制御を行う
請求項１に記載の情報処理装置。
【請求項４】
前記制御部は、前記対象符号化方式が、前記復号部で復号可能な方式であり、なおかつ、前記スピーカ装置で復号可能な方式であることを前記復号可否情報が示す場合に、前記第２の制御を行う
請求項１に記載の情報処理装置。
【請求項５】
前記通信部は、
前記第１の制御において、復号された前記再生対象のオーディオ信号を前記通信部から前記スピーカ装置に送信するための第１の通信方式と、
前記第２の制御において、前記再生対象のオーディオ信号を前記外部記憶装置から直接前記スピーカ装置に送信させるための第２の通信方式とを用いて通信可能であり、
前記記憶部には、さらに、前記スピーカ装置が前記第１の通信方式で通信可能か否かと、前記スピーカ装置が前記第２の通信方式で通信可能か否かとを示す通信可否情報が記憶され、
前記制御部は、前記対象符号化方式、前記復号可否情報、および前記通信可否情報に基づいて、前記第１の制御、および前記第２の制御のいずれか一方を選択し、選択した制御を行う
請求項１に記載の情報処理装置。
【請求項６】
前記制御部は、前記対象符号化方式が前記復号部および前記スピーカ装置の両方で復号可能な方式であり、なおかつ、前記スピーカ装置が前記第１の通信方式および前記第２の通信方式の両方で通信可能であることを前記通信可否情報が示す場合に、前記第１の制御を行う
請求項５に記載の情報処理装置。
【請求項７】
前記制御部は、前記対象符号化方式が前記復号部および前記スピーカ装置の両方で復号可能な方式であり、なおかつ、前記スピーカ装置が前記第１の通信方式および前記第２の通信方式の両方で通信可能であることを前記通信可否情報が示す場合に、前記第２の制御を行う
請求項５に記載の情報処理装置。
【請求項８】
さらに、
ユーザーの前記スピーカ装置の選択を受け付ける入力部と、
表示部とを備え、
前記スピーカ装置は、前記表示部に表示されたスピーカ装置候補の中から、ユーザーが前記入力部を通じて選択した１つのスピーカ装置であり、
前記制御部は、
（１）前記対象符号化方式が前記復号部で復号可能な方式であることを前記復号可否情報が示す場合には、前記通信部が通信可能な複数のスピーカ装置の中から、前記第１の通信方式で通信可能なスピーカ装置、または、前記再生対象のオーディオ信号を復号可能なスピーカ装置であって、なおかつ、前記第２の通信方式で通信可能であるスピーカ装置を、前記復号可否情報および前記通信可否情報に基づいて選択し、選択したスピーカ装置を示すアイコンを前記スピーカ装置候補として前記表示部に表示し、
（２）前記対象符号化方式が前記復号部で復号不可能な方式であることを前記復号可否情報が示す場合には、前記複数のスピーカ装置の中から、前記再生対象のオーディオ信号を復号可能なスピーカ装置であって、なおかつ、前記第２の通信方式で通信可能であるスピーカ装置を前記復号可否情報および前記通信可否情報に基づいて選択し、選択したスピーカ装置を示すアイコンを前記スピーカ装置候補として前記表示部に表示する制御を行う
請求項５〜７のいずれか１項に記載の情報処理装置。
【請求項９】
さらに、
前記ユーザーの前記スピーカ装置の選択を受け付ける入力部と、
表示部とを備え、
前記スピーカ装置は、前記表示部に表示されたスピーカ装置候補の中から、ユーザーが前記入力部を通じて選択した１つのスピーカ装置であり、
前記制御部は、前記通信部が通信可能な複数のスピーカ装置を示すアイコンを前記スピーカ装置候補として前記表示部に表示する制御を行う
請求項１〜７のいずれか１項に記載の情報処理装置。
【請求項１０】
前記制御部は、前記再生対象のオーディオ信号が、前記第１の制御により前記スピーカ装置において再生できる場合と、前記第２の制御により前記スピーカ装置において再生できる場合との両方において、前記スピーカ装置を示す同一のアイコンを前記スピーカ装置候補として前記表示部に表示する制御を行う
請求項８または９に記載の情報処理装置。
【請求項１１】
前記制御部は、前記第１の制御および前記第２の制御のいずれの制御も実行できない場合に、前記再生対象のオーディオ信号が再生できない旨を前記表示部に表示する制御を行う
請求項８〜１０のいずれか１項に記載の情報処理装置。
【請求項１２】
前記第１の通信方式は、Ｂｌｕｅｔｏｏｔｈ（登録商標）を用いた無線通信であり、
前記第２の通信方式は、ＤＬＮＡ（Ｄｉｇｉｔａｌ  Ｌｉｖｉｎｇ  Ｎｅｔｗｏｒｋ  Ａｌｌｉａｎｃｅ）（登録商標）を用いた無線通信である
請求項１〜１１のいずれか１項に記載の情報処理装置。
【請求項１３】
オーディオ信号の復号機能を有するスピーカ装置において、外部記憶装置に記憶されたオーディオ信号を再生するために情報処理装置が行う制御方法であって、
前記情報処理装置は、
前記外部記憶装置および前記スピーカ装置と通信可能であり、
前記対象符号化方式が前記情報処理装置によって復号可能な方式であるか否かと、前記対象符号化方式が前記スピーカ装置によって復号可能な方式であるか否かとを示す復号可否情報が記憶される記憶部を備え、
前記制御方法は、
前記対象符号化方式および前記復号可否情報に基づいて、（１）前記外部記憶装置から前記再生対象のオーディオ信号を取得して、取得した前記再生対象のオーディオ信号を復号し、復号した前記再生対象のオーディオ信号を前記通信部から前記スピーカ装置に送信する、第１の制御、および（２）前記再生対象のオーディオ信号を前記外部記憶装置から前記スピーカ装置へ直接送信させて前記スピーカ装置に復号させる、第２の制御のいずれか一方を選択し、選択した制御を行う
制御方法。
【請求項１４】
請求項１３に記載の制御方法をコンピュータに実行させるためのプログラム。
【手続補正３】
【補正対象書類名】図面
【補正対象項目名】全図
【補正方法】変更
【補正の内容】
【図１】
2014097500.tif 000013
【図２】
2014097500.tif 000014
【図３】
2014097500.tif 000015
【図４】
2014097500.tif 000016
【図５】
2014097500.tif 000017
【図６】
2014097500.tif 000018
【図７】
2014097500.tif 000019
【図８】
2014097500.tif 000020
【図９】
2014097500.tif 000021
【図１０】
2014097500.tif 000022
【国際調査報告】
2014097500.tif 000023
2014097500.tif 000024
2014097500.tif 000025
2014097500.tif 000026